(57)【要約】  ＢＤなど複数の映像・音声の同時出力可能なマルチメディア機器の管理を行うことができるマルチメディア機器制御装置、ソース機器、シンク機器及び伝送システム。マスタ機器（１１０）は、複数の映像及び音声の伝送時、ソース・シンク機器機能管理テーブル（２００）及び帯域管理テーブル（３００）を参照して、ソース・シンク機器に対して、映像及び音声の帯域を制御する。また、マスタ機器（１１０）は、確保した帯域を変更する際、伝送路（１００）の状態とシンク機器（１４０，１５０）のコンテンツ使用状況を確認し、帯域の制御を行う。例えば、マスタ機器（１１０）は、２系統の映像及び音声を１系統で出力する場合、２系統の映像及び音声を合成した１系統の帯域に変更する。
2010047124.tif 000002
【特許請求の範囲】
【請求項１】
伝送路と、前記伝送路に接続され、複数の映像及び音声の同時出力が可能なマルチメディア機器とを備え、前記伝送路の帯域を管理して前記マルチメディア機器を制御するマルチメディア機器制御装置であって、
前記マルチメディア機器の機能を管理する機能管理テーブルと、
前記マルチメディア機器により確保されている帯域の状態を管理する帯域管理テーブルと、
複数の映像及び音声の伝送時、前記機能管理テーブル及び前記帯域管理テーブルを参照して、前記マルチメディア機器に対して、映像及び音声の帯域を制御する帯域制御手段と
を備えるマルチメディア機器制御装置。
【請求項２】
前記マルチメディア機器のコンテンツ使用状況を管理するコンテンツ使用管理テーブルを備え、
前記帯域制御手段は、前記コンテンツ使用状況に基づいて前記マルチメディア機器の映像及び音声の帯域を制御する請求項１記載のマルチメディア機器制御装置。
【請求項３】
前記マルチメディア機器は、２系統の映像及び音声を同時に出力する請求項１記載のマルチメディア機器制御装置。
【請求項４】
前記帯域制御手段は、２系統の映像及び音声を１系統で伝送する場合、２系統の映像及び音声を合成した１系統の帯域に変更する請求項３記載のマルチメディア機器制御装置。
【請求項５】
伝送路を介してマルチメディア機器制御装置に接続され、複数の映像及び音声の同時出力が可能なソース機器であって、
前記マルチメディア機器制御装置からの機器制御信号を受信し、前記制御信号により指示された帯域を用いて送信するソース機器。
【請求項６】
前記マルチメディア機器制御装置は、
前記伝送路に接続された機器の機能を管理する機能管理テーブルと、
前記伝送路に接続された機器により確保されている帯域の状態を管理する帯域管理テーブルと、
複数の映像及び音声の伝送時、前記機能管理テーブル及び前記帯域管理テーブルを参照して、前記ソース機器に対して、映像及び音声の帯域を制御する機器制御信号を出力する帯域制御手段と
を備える請求項５記載のソース機器。
【請求項７】
伝送路を介してマルチメディア機器制御装置に接続され、複数の映像及び音声の同時出力が可能なシンク機器であって、
前記マルチメディア機器制御装置からの機器制御信号を受信し、前記制御信号により指示された帯域を用いて受信するシンク機器。
【請求項８】
前記マルチメディア機器制御装置は、
前記伝送路に接続された機器の機能を管理する機能管理テーブルと、
前記伝送路に接続された機器により確保されている帯域の状態を管理する帯域管理テーブルと、
複数の映像及び音声の伝送時、前記機能管理テーブル及び前記帯域管理テーブルを参照して、前記シンク機器に対して、映像及び音声の帯域を制御する機器制御信号を出力する帯域制御手段と
を備える請求項７記載のシンク機器。
【請求項９】
伝送路と、前記伝送路に接続され、複数の映像及び音声の同時出力が可能なマルチメディア機器と、前記伝送路の帯域を管理して前記マルチメディア機器を制御するマルチメディア機器制御装置とから構成される伝送システムであって、
前記マルチメディア機器制御装置は、
前記マルチメディア機器の機能を管理する機能管理テーブルと、
前記マルチメディア機器により確保されている帯域の状態を管理する帯域管理テーブルと、
複数の映像及び音声の伝送時、前記機能管理テーブル及び前記帯域管理テーブルを参照して、前記マルチメディア機器に対して、映像及び音声の帯域を制御する帯域制御手段と
を備える伝送システム。
【発明の詳細な説明】
【技術分野】
【０００１】
本発明は、複数のマルチメディア機器を制御するマルチメディア機器制御装置、ソース機器、シンク機器及び伝送システムに関する。
【背景技術】
【０００２】
従来、マルチメディア情報を、利用者の要求に応じて提供するシステムでは、複数の情報を同時に伝送するために、広い周波数帯域を使って、帯域ごとに音声や映像や文字を割り当てていた。【０００３】
車両内マルチメディア情報提供装置では、使用できる周波数帯域が制限される。制限された伝送周波数帯域内で、複数のマルチメディア情報を伝送するため、伝送帯域を適切に管理する必要がある。【０００４】
特許文献１には、マスタ機器が、ソース・シンク機器間の帯域を確保する際、最大帯域幅・最小帯域幅・優先度を確認する帯域管理装置が記載されている。特許文献１記載の装置は、伝送路に最大帯域幅分を確保できる容量がある場合は、最大帯域幅分を確保し、伝送路に最大帯域幅分を確保できない場合は、既に確保されている帯域幅の縮小、もしくは、優先度の低い帯域を解放する。これにより、多数の機器が、伝送路を最大限有効利用できるようにしようとする。【０００５】
図１は、車載環境で用いられるマルチメディア機器制御システムの構成を示すブロック図である。【０００６】
図１に示すように、マルチメディア機器制御システムは、伝送路１０にマスタ機器１１、複数のソース機器１２，１３（ソース機器Ａ，Ｂ）、及び複数のシンク機器１４，１５（シンク機器Ａ，Ｂ）が接続される。【０００７】
ソース機器Ａ，Ｂは、映像・音声出力機器である。シンク機器Ａ，Ｂは、映像・音声入力機器である。例えば、車載用の電子機器では、ナビゲーションシステム、ＤＶＤ（Digital Versatile Disk）プレーヤ及びテレビ受信機のように、ＬＣＤ等の表示器を利用して、ＣＤ−ＲＯＭやＤＶＤ等の記録媒体に記録された画像又はテレビジョン放送の画像等を表示する表示装置がある。【０００８】
伝送路１０は、任意の映像・音声・制御信号を伝送できるネットワークである。その規格の例としては、ＭＯＳＴ（Media Oriented Systems Transport）（以下、ＭＯＳＴ）規格や、ＩＥＥＥ（Institute of Electrical and Electronics Engineers）１３９４ High Performance Serial Bus（以下、ＩＥＥＥ１３９４）などがある。【０００９】
マスタ機器１１は、伝送路１０に接続されたこれら機器、ここではソース機器Ａ，Ｂ、シンク機器Ａ，Ｂの音声・伝送を管理する。具体的には、マスタ機器１１は、ソース機器−シンク機器間の音声・映像の伝送帯域を張り、制御管理を行う。【００１０】
図２は、マスタ機器１１がソース機器Ａ，Ｂ及びシンク機器Ａ，Ｂを管理する帯域管理テーブル２０を示す図である。【００１１】
図２に示すように、帯域管理テーブル２０は、帯域管理番号ＩＤ毎に、帯域接続機器及び帯域幅を格納する。図２の場合、例えば帯域管理番号ＩＤ１には、帯域接続機器はソース機器Ａ及びシンク機器Ａ、伝送路１０の帯域幅１０Ｍｂｐｓを格納する。また、帯域管理番号ＩＤ２には、帯域接続機器はソース機器Ｂ及びシンク機器Ｂ、伝送路１０の帯域幅５Ｍｂｐｓを格納し、帯域管理番号ＩＤ３には、帯域接続機器はソース機器Ａ及びシンク機器Ｂ、伝送路１０の帯域幅３Ｍｂｐｓを格納する。帯域管理番号ＩＤ１のソース機器Ａ及びシンク機器Ａの組合せが、最も大きな帯域幅を要求する。【００１２】
車載環境では、複数のソース機器Ａ，Ｂと複数のシンク機器Ａ，Ｂが存在し、それらの機器を制御するマスタ機器１１が存在する。それぞれの機器間は伝送路１０でつながっている。映像・音声が送受信される際、ソース機器Ａ，Ｂとシンク機器Ａ，Ｂ間で伝送帯域が確保され、その伝送帯域に映像や音声が伝送されている。マスタ機器１１は、帯域管理テーブル２０を基に、伝送帯域の管理を行う。
【先行技術文献】
【特許文献】
【００１３】
【特許文献１】特開２０００−１１５１９８号公報
【発明の概要】
【発明が解決しようとする課題】
【００１４】
従来の車載用のマルチメディア機器制御装置では、マスタ機器１１は、１帯域確保時毎に制御を行っている。その際、既に伝送路１０上に確保されている複数の帯域間の関連性に関係なく帯域幅の縮小、もしくは、優先度の低い帯域の解放が行われている。【００１５】
従来の車載機器通信では、１つのソース機器からの１コンテンツの映像・音声の出力系統は１系統のみであった。例えば、従来のＤＶＤ等のコンテンツに関しては、１コンテンツあたり、１映像・１音声の出力系統しか存在していなかった。このため、マスタ機器１１は、複数の帯域間の関連性を考慮しなくても問題がなかった。【００１６】
しかしながら、車載用のマルチメディア機器として、ＢＤ（Blu-ray Disc）を導入しようとすると以下の課題がある。【００１７】
ＢＤでは、Bonus Viewのピクチャーインピクチャー（ＰｉｎＰ）機能など、１コンテンツあたり２系統の映像・音声を同時に出力する機能が存在する。これら２系統の映像・音声には関連性があるため、マスタ機器は、１コンテンツあたり２系統の映像・音声という複数の帯域を管理し、複数の帯域間の関係に応じて帯域の制御を行うシステムが必要となる。【００１８】
また、ソース機器又はシンク機器の性能によっては、２系統の帯域を伝送・受信することができない機器も存在する。そのため、マスタ機器は、２系統の映像・音声の伝送手段をソース機器の伝送機能またはシンク機器の受信機能により判断して、帯域の制御を行う必要がある。【００１９】
本発明の目的は、ＢＤなど複数の映像・音声の同時出力が可能なマルチメディア機器の管理を行うことができるマルチメディア機器制御装置、ソース機器、シンク機器及び伝送システムを提供することである。
【課題を解決するための手段】
【００２０】
本発明のマルチメディア機器制御装置は、伝送路と、前記伝送路に接続され、複数の映像及び音声の同時出力が可能なマルチメディア機器とを備え、前記伝送路の帯域を管理して前記マルチメディア機器を制御するマルチメディア機器制御装置であって、前記マルチメディア機器の機能を管理する機能管理テーブルと、前記マルチメディア機器により確保されている帯域の状態を管理する帯域管理テーブルと、複数の映像及び音声の伝送時、前記機能管理テーブル及び前記帯域管理テーブルを参照して、前記マルチメディア機器に対して、映像及び音声の帯域を制御する帯域制御手段とを備える。【００２１】
本発明のソース機器は、伝送路を介してマルチメディア機器制御装置に接続され、複数の映像及び音声の同時出力が可能なソース機器であって、前記マルチメディア機器制御装置からの機器制御信号を受信し、前記制御信号により指示された帯域を用いて送信する。【００２２】
本発明のシンク機器は、伝送路を介してマルチメディア機器制御装置に接続され、複数の映像及び音声の同時出力が可能なシンク機器であって、前記マルチメディア機器制御装置からの機器制御信号を受信し、前記制御信号により指示された帯域を用いて受信する。【００２３】
本発明の伝送システムは、伝送路と、前記伝送路に接続され、複数の映像及び音声の同時出力が可能なマルチメディア機器と、前記伝送路の帯域を管理して前記マルチメディア機器を制御するマルチメディア機器制御装置とから構成される伝送システムであって、前記マルチメディア機器制御装置は、前記マルチメディア機器の機能を管理する機能管理テーブルと、前記マルチメディア機器により確保されている帯域の状態を管理する帯域管理テーブルと、複数の映像及び音声の伝送時、前記機能管理テーブル及び前記帯域管理テーブルを参照して、前記マルチメディア機器に対して、映像及び音声の帯域を制御する帯域制御手段とを備える。
【発明の効果】
【００２４】
本発明によれば、ＢＤなど複数の映像・音声の同時出力可能なマルチメディア機器の管理を行うことができる。
【図面の簡単な説明】
【００２５】
【図１】車載環境で用いられるマルチメディア機器制御システムの構成を示すブロック図
【図２】マスタ機器がソース機器Ａ，Ｂ及びシンク機器Ａ，Ｂを管理する帯域管理テーブルを示す図
【図３】本発明の一実施の形態に係るマルチメディア機器制御システムの構成を示すブロック図
【図４】上記実施の形態に係るマルチメディア機器制御システムのソース・シンク機器機能管理テーブルの一例を示す図
【図５】上記実施の形態に係るマルチメディア機器制御システムのマスタ機器の処理の全体フロー図
【図６】上記実施の形態に係るマルチメディア機器制御システムのソース・シンク機器機能確認処理を説明する制御シーケンス図
【図７】上記実施の形態に係るマルチメディア機器制御システムの帯域確保処理を示すフロー図
【図８】上記実施の形態に係るマルチメディア機器制御システムの帯域管理テーブルの一例を示す図
【図９】上記実施の形態に係るマルチメディア機器制御システムの帯域変更処理を示すフロー図
【図１０】上記実施の形態に係るマルチメディア機器制御システムのコンテンツ使用方法を説明する制御シーケンス図
【図１１】上記実施の形態に係るマルチメディア機器制御システムのコンテンツ使用管理テーブルの一例を示す図
【図１２】上記実施の形態に係るマルチメディア機器制御システムの帯域変更した場合の帯域管理テーブルの一例を示す図
【図１３】上記実施の形態に係るマルチメディア機器制御システムの帯域解放処理を示すフロー図
【発明を実施するための形態】
【００２６】
以下、本発明の実施の形態について図面を参照して詳細に説明する。
【００２７】
（実施の形態）
図３は、本発明の一実施の形態に係るマルチメディア機器制御システムの構成を示すブロック図である。
【００２８】
図３のマルチメディア機器制御システムでは、伝送路１００にマスタ機器１１０、ソース機器１２０（ソース機器<１>）、ソース機器１３０（ソース機器<２>）、シンク機器１４０（シンク機器<１>）、及びシンク機器１５０（シンク機器<２>）が接続されている。これらの機器は相互に通信可能である。
【００２９】
ソース機器１２０，１３０は、映像・音声出力機器である。シンク機器１４０，１５０は、映像・音声入力機器である。例えば、ソース機器１２０は、２系統伝送コンテンツを供給するＢＤであり、ソース機器１３０は、ＤＶＤプレーヤである。これは一例であり、車載用の電子機器では、ナビゲーションシステム、ＤＶＤプレーヤ及びテレビ受信機がある。
【００３０】
伝送路１００は、ＭＯＳＴやＩＥＥＥ１３９４など、任意の映像・音声・制御信号を伝送できるネットワークである。
【００３１】
マスタ機器１１０は、伝送路１００に接続されたソース機器１２０，１３０、シンク機器１４０，１５０の音声・伝送を管理する。マスタ機器１１０は、１コンテンツあたり２系統の映像・音声という複数の帯域を管理する。
【００３２】
マスタ機器１１０は、帯域を確保する前に、ソース機器１２０，１３０、シンク機器１４０，１５０の性能を確認し、機器の性能にあった帯域の確保を行う。
【００３３】
マスタ機器１１０は、確保した帯域を変更する際、伝送路１００の状態とシンク機器１４０，１５０のコンテンツ使用状況を確認し、帯域の制御を行う。
【００３４】
マスタ機器１１０は、処理部１１１、記憶部１１２、及び通信制御部１１３を有する。
【００３５】
処理部１１１は、マスタ機器１１０に関する処理を行う。マスタ機器１１０に関する処理には、本実施の形態で行われる処理全般がある。例としては、伝送路帯域の管理処理、各種管理テーブルの記憶部１１２への保持・読み出し処理が挙げられる。他には、ソース機器・シンク機器へのコマンド要求・応答発生時の通信制御部１１３への処理要求処理なども挙げられる。
【００３６】
記憶部１１２は、ソース機器１２０，１３０とシンク機器１４０，１５０の性能、機能を管理するソース・シンク機器機能管理テーブル２００（図４参照）を記憶する。上記機能とは、具体的には、ソース機器１２０，１３０については、１コンテンツの映像・音声を同時に出力可能な出力系統数、シンク機器１４０，１５０については、１コンテンツの映像・音声を同時に入力可能な入力系統数である。
【００３７】
また、記憶部１１２は、処理データを一時的に保持する。ソース・シンク機器機能管理テーブル２００（図４参照）は、伝送路１００上の全ての機器間で確保されている帯域の状態を管理する。ソース・シンク機器機能管理テーブル２００は、後述する図６のソース・シンク機器機能確認処理により更新される。
【００３８】
さらに、記憶部１１２は、帯域管理テーブル３００（図８参照）、及びコンテンツ使用管理テーブル４００（図１１参照）を格納する。帯域管理テーブル３００は、ソース機器１２０，１３０とシンク機器１４０，１５０により確保されている帯域の状態を管理する。また、コンテンツ使用管理テーブル４００は、ソース機器１２０，１３０とシンク機器１４０，１５０のコンテンツ使用状況を管理する。
【００３９】
通信制御部１１３は、伝送路１００上で通信を行う。
【００４０】
ソース機器１２０は、処理部１２１、データ出力部１２２、及び通信制御部１２３を有する。ソース機器１３０は、処理部１３１、データ出力部１３２、及び通信制御部１３３を有する。
【００４１】
処理部１２１，１３１は、ソース機器１２０，１３０に関する処理を行う。ソース機器１２０，１３０に関する処理には、本実施の形態で行われる処理全般がある。例としては、マスタ機器１１０からの機器確認要求に対する情報を通信制御部１２３，１３３を通して通知する処理が挙げられる。他には、データ出力部１２２，１３２の再生・停止などの要求処理が挙げられる。さらに他には、マスタ機器１１０からの帯域確保・解放要求を通信制御部１２３，１３３へ通知し、制御を行う処理などが挙げられる。
【００４２】
データ出力部１２２，１３２は、映像・音声のコンテンツを出力する。
【００４３】
通信制御部１２３，１３３は、マスタ機器１１０により割り当てられた帯域を確保して、伝送路１００上で通信を行う。
【００４４】
シンク機器１４０は、処理部１４１、データ入力部１４２、及び通信制御部１４３を有する。シンク機器１５０は、処理部１５１、データ入力部１５２、及び通信制御部１５３を有する。
【００４５】
処理部１４１，１５１は、シンク機器に関する処理を行う。シンク機器に関する処理には、例えば、マスタ機器１１０からの機器確認要求や、コンテンツ使用要求に対する情報を通信制御部１４３，１５３を通して通知する処理、データ入力部１４２，１５２の開始・停止などの要求処理、マスタ機器１１０からの帯域接続・切断要求を通信制御部１４３，１５３へ通知し、制御を行う処理など、本実施の形態で行われる処理全般がある。
【００４６】
データ入力部１４２，１５２は、映像・音声のコンテンツを入力する。
【００４７】
通信制御部１４３，１５３は、マスタ機器１１０により帯域を確保して、ソース機器の帯域に接続を行って伝送路１００上で通信を行う。
【００４８】
図４は、ソース・シンク機器機能管理テーブル２００の一例を示す図である。
【００４９】
図４に示すように、ソース・シンク機器機能管理テーブル２００は、機器種別毎に、伝送機能と受信機能を格納する。図４の例では、例えばソース機器１２０（ソース機器<１>）は、伝送機能が「２系統出力」、受信機能が「なし」である。ソース機器１２０（ソース機器<１>）は、例えばＢＤである。また、ソース機器１２０（ソース機器<１>）は、地上デジタル放送用チューナの２系統出力からユーザが選ぶ場合も含まれる。シンク機器１４０（シンク機器<１>）は、リアディスプレイ、ヘッドフォンアンプなどの機器である。ソース機器１３０（ソース機器<２>）は、例えばＤＶＤである。シンク機器１５０（シンク機器<２>）は、例えばオーディオアンプである。
【００５０】
図４では、ソース機器１２０（ソース機器<１>）は、２系統出力が可能で、シンク機器１４０（シンク機器<１>）は、２系統入力が可能であることを示す。また、ソース機器１３０（ソース機器<２>）は、１系統出力が可能で、シンク機器１５０（シンク機器<２>）は、１系統入力が可能であることを示す。
【００５１】
以下、上述のように構成されたマルチメディア機器制御システムの動作について説明する。
【００５２】
〔全体処理〕
図５は、マスタ機器１１０の処理の全体フロー図である。図中、Ｓはフローの各ステップを示す。
【００５３】
ステップＳ１では、マスタ機器１１０は、ソース機器、シンク機器の機能状況を確認する「ソース・シンク機器機能確認処理」（図６参照）を実行する。例えば、車載用のマルチメディア機器制御システムの場合、ユーザがエンジンをかけ電子機器電源投入直後に、ソース・シンク機器が映像・音声を伝送する前に、マスタ機器１１０は、ソース・シンク機器に対し、ＢＤのコンテンツが伝送できるのかを確認する。
【００５４】
ステップＳ２では、マスタ機器１１０は、ソース機器１２０，１３０が伝送開始か否かを判別する。この伝送開始は、ＢＤコンテンツを伝送するか否かの判別である。
【００５５】
ソース機器１２０，１３０が映像・音声の伝送開始（ＢＤコンテンツ伝送開始）でない場合は、ステップＳ３に進み、ソース機器１２０，１３０が映像・音声の伝送開始（ＢＤコンテンツ伝送開始）の場合は、ステップＳ４に進む。
【００５６】
ステップＳ３では、マスタ機器１１０は、任意のソース機器が映像・音声の伝送停止か否かを判別する。任意のソース機器が映像・音声の伝送停止でない場合は、何もせず上記ステップＳ２に戻る。この場合、ステップＳ２及びステップＳ３を回る無限ループとなる。
【００５７】
ステップＳ４では、マスタ機器１１０は、帯域確保処理（図７参照）を行う。この帯域確保処理は、マスタ機器１１０が、ソース・シンク機器の機能を見て、ソース・シンク機器が２系統帯域を伝送できる場合は２系統帯域を、できない場合は１系統帯域を確保する処理である。帯域確保処理の詳細については、図７により後述する。
【００５８】
ステップＳ５では、マスタ機器１１０は、例えばユーザ操作に基づいて該当ソース機器の伝送路１００を２系統から１系統、２系統から０、又は１系統から０に変更するか否かを判別する。
【００５９】
上記ステップＳ３で任意のソース機器が映像・音声の伝送停止の場合、あるいは上記ステップＳ５で伝送路１００を２系統から１系統、２系統から０、又は１系統から０に変更する場合はステップＳ６に進む。
【００６０】
ステップＳ６では、マスタ機器１１０は、帯域解放処理を行って上記ステップＳ２に戻る。
【００６１】
上記ステップＳ５で伝送路１００を２系統から１系統、２系統から０、又は１系統から０に変更しない場合は、ステップＳ７に進む。
【００６２】
ステップＳ７では、マスタ機器１１０は、他のソース機器が映像・音声の伝送を行うか否かを判別する。
【００６３】
他のソース機器が映像・音声の伝送を行わない場合は、上記ステップＳ５に戻る。
【００６４】
他のソース機器が映像・音声の伝送を行う場合は、ステップＳ８でマスタ機器１１０は、帯域変更処理（図１０参照）を行って上記ステップＳ５に戻る。
【００６５】
〔ソース・シンク機器機能確認処理〕
図６は、図５のステップＳ１の「ソース・シンク機器機能確認処理」を説明する制御シーケンス図である。
【００６６】
図６に示すように、マスタ機器１１０は、伝送路１００上に繋がっている全てのソース機器１２０，１３０に機能確認要求を発行する（Ｓ１１参照）。ここでの機能確認要求とは、マスタ機器１１０が、一般的なソース機器・シンク機器の情報を得るために行う確認要求／確認応答ではなく、ＢＤの２系統又は１系統を伝送するときに必要な情報を得るために行う確認要求／確認応答である。より具体的には、この機能確認要求は、ＢＤを使用して伝送できる系統が２系統か１系統かを確認する要求である。
【００６７】
機能確認要求を受信したソース機器１２０，１３０は、マスタ機器１１０に機能確認応答を送信する（Ｓ１２参照）。この機能確認応答は、ソース機器１２０，１３０が上記機能確認要求を受けた時点において、ソース機器１２０，１３０がＢＤの２系統か１系統の何れを使用するかを応答する。
【００６８】
マスタ機器１１０は、ソース機器１２０，１３０からの機能確認応答を基に、マスタ機器１１０の記憶部１１２（図３参照）に保持されているソース・シンク機器機能管理テーブル２００（図４参照）を更新する（Ｓ１３参照）。
【００６９】
マスタ機器１１０は、伝送路１００上に繋がっている全てのシンク機器１４０，１５０に機能確認要求を発行する（Ｓ１４参照）。
【００７０】
機能確認要求を受信したシンク機器１４０，１５０は、マスタ機器１１０に機能確認応答を送信する（Ｓ１５参照）。
【００７１】
マスタ機器１１０は、シンク機器１４０，１５０からの機能確認応答を基に、マスタ機器１１０の記憶部１１２（図３参照）に保持されているソース・シンク機器機能管理テーブル２００（図４参照）を更新する（Ｓ１６参照）。
【００７２】
このように、マスタ機器１１０は、伝送路１００内のソース・シンク機器に対して、機能の確認を行い、確認の結果得られた機能確認応答を基に、記憶部１１２（図３参照）のソース・シンク機器機能管理テーブル２００（図４参照）を更新する。図４では、ソース機器１２０（ソース機器<１>）は、２系統出力、シンク機器１４０（シンク機器<１>）は、２系統入力、ソース機器１３０（ソース機器<２>）は、１系統出力、シンク機器１５０（シンク機器<２>）は、１系統入力である。
【００７３】
マスタ機器１１０は、帯域を確保する前に、ソース機器・シンク機器の性能を確認し、機器の性能にあった帯域の確保を行う。このため、上述したソース・シンク機器機能確認処理は、マスタ機器１１０が伝送帯域を確保する場合に最初に実行されるが、適当なタイミングで適宜実行される態様でもよい。
【００７４】
〔帯域確保処理〕
図７は、帯域確保処理を示すフロー図である。本フローは、図５のステップＳ４の「帯域確保処理」の詳細フローである。
【００７５】
ステップＳ２１では、マスタ機器１１０は、２系統伝送コンテンツの伝送か否かを判別する。本実施の形態では、２系統伝送コンテンツは、ＢＤコンテンツである。マスタ機器１１０は、ＢＤコンテンツが、２系統伝送コンテンツか１系統伝送コンテンツかを判別する。
【００７６】
２系統伝送コンテンツの場合は、ステップＳ２２でマスタ機器１１０は、ソース・シンク機器機能管理テーブル２００を確認する。
【００７７】
ステップＳ２３では、マスタ機器１１０は、ソース・シンク機器機能管理テーブル２００を参照して、ソース機器１２０，１３０が２系統伝送可能か否かを判別する。
【００７８】
ソース機器１２０，１３０の少なくとも一つが２系統伝送可能である場合は、ステップＳ２４で、マスタ機器１１０は、ソース・シンク機器機能管理テーブル２００を参照して、シンク機器１４０，１５０が２系統受信可能か否かを判別する。
【００７９】
シンク機器１２０，１３０の少なくとも一つが２系統受信可能である場合は、ステップＳ２５に進む。ステップＳ２５及びステップＳ２６では、マスタ機器１１０は、ソース機器・シンク機器の性能（２系統・１系統）に応じて、ソース機器・シンク機器を選択する。
【００８０】
ここで、本シーケンス（図７）は、ソース機器・シンク機器の性能（２系統・１系統）で帯域を確保・接続する機器を選択するのではない。本シーケンスは、各々の機器に対して、図４のソース・シンク機器機能管理テーブル２００より２系統・１系統のどちらの機能を有するかを確認し、機能に合った帯域を確保する。すなわち、「帯域確保処理」に入る時点で、帯域を確保・接続するソース機器・シンク機器は決まっている（例えば、ソース機器１２０とシンク機器１４０の組み合わせ等）。また、ステップＳ２５及びステップＳ２６の時点でソース・シンク機器の確保する帯域と接続する帯域は２系統と決定しているため、マスタ機器１１０は、ソース機器・シンク機器の帯域を２帯域確保・接続することとなる。
【００８１】
ステップＳ２５及びステップＳ２６では、マスタ機器１１０は、各々の機器に対して、ソース・シンク機器機能管理テーブル２００（図４）を参照して、２系統・１系統のどちらの機能をもっているかを確認し、機能に合った帯域を確保する。具体的には、以下の通りである。
【００８２】
シンク機器１４０，１５０の少なくとも一つが２系統受信可能である場合は、ステップＳ２５で、マスタ機器１１０は、ソース機器１２０，１３０の２系統帯域確保処理を行ってステップＳ２５に進む。２系統帯域確保処理においては、まず、マスタ機器１１０からソース機器１２０，１３０に対して帯域確保要求（２帯域分）を出す。そして、ソース機器１２０，１３０はその要求に対して、伝送路１００上にデータ出力部１２２，１３２から出力するＢＤの映像・音声の帯域を、通信制御部１１３によって、各々２つずつ確保する。
【００８３】
ステップＳ２６では、マスタ機器１１０は、シンク機器１４０，１５０の２系統帯域接続処理を行ってステップＳ２９に進む。２系統帯域接続処理においては、まず、マスタ機器１１０からシンク機器１４０，１５０へ帯域接続要求（２帯域分・接続先帯域（接続先ソース機器の帯域番号等の情報）の情報）を出す。そして、シンク機器１４０，１５０はその要求に対して、既にソース機器１２０，１３０より伝送路１００上に確保されたＢＤの映像・音声の帯域に対して、通信制御部１１３によって、接続し、ソース機器１２０，１３０からのＢＤの映像・音声情報を取得する。
【００８４】
本実施の形態では、図４のソース・シンク機器機能管理テーブル２００の一例に示すように、ソース機器１２０及びシンク機器１４０が、２系統伝送コンテンツの伝送／受信が可能なＢＤであるとする。このため、上記ステップＳ２５では、マスタ機器１１０は、ソース機器１２０に対して２系統帯域確保処理を行い、上記ステップＳ２６では、シンク機器１４０に対して２系統帯域接続処理を行う。
【００８５】
一方、上記ステップＳ２１で２系統伝送コンテンツの伝送要求がない場合は、ステップＳ２７に進む。上記ステップＳ２３でソース機器１２０，１３０が２系統伝送可能でない場合も、ステップＳ２７に進む。上記ステップＳ２４でシンク機器１４０，１５０が２系統受信可能でない場合も、ステップＳ２７に進む。
【００８６】
ステップＳ２７では、マスタ機器１１０は、ソース機器１２０，１３０の１系統帯域確保処理を行う。
【００８７】
ステップＳ２８では、マスタ機器１１０は、シンク機器１４０，１５０の１系統帯域接続処理を行ってステップＳ２９に進む。
【００８８】
ステップＳ２９では、マスタ機器１１０は、各機器により確保されている帯域の状態を管理する帯域管理テーブル３００（図８参照）を更新する。
【００８９】
ステップＳ３０では、マスタ機器１１０は、対象のソース機器１２０，１３０に対して伝送を開始する許可を出す。対象のソース機器１２０，１３０は、伝送を開始して本フローを終了する。
【００９０】
図８は、帯域管理テーブル３００の一例を示す図である。
【００９１】
図８に示すように、帯域管理テーブル３００は、機器種別毎に、映像系統と音声系統を格納する。帯域管理テーブル３００は、図３のマスタ機器１１０の記憶部１１２に記憶される。
【００９２】
図８の場合、伝送路１００内の機器は、ソース機器１２０（ソース機器<１>）、シンク機器１４０（シンク機器<１>）、ソース機器１３０（ソース機器<２>）、及びシンク機器１５０（シンク機器<２>）である。これら機器種別毎に、映像系統１、映像系統２、音声系統１及び音声系統２の帯域接続先とコンテンツが保存される。
【００９３】
例えば、ＢＤであるソース機器１２０（ソース機器<１>）に関しては、映像系統１の帯域接続先がシンク機器１４０（シンク機器<１>）、そのコンテンツがコンテンツ１映像（Ａ）である。また、映像系統２の帯域接続先がシンク機器<１>、そのコンテンツがコンテンツ１映像（Ｂ）である。さらに、音声系統１の帯域接続先がシンク機器<１>、そのコンテンツがコンテンツ１音声（Ａ）である。また、音声系統２の帯域接続先がシンク機器<１>、そのコンテンツがコンテンツ１音声（Ｂ）である。
【００９４】
一方、ＢＤであるシンク機器１４０（シンク機器<１>）に関しては、映像系統１の帯域接続先がソース機器１２０（ソース機器<１>）、そのコンテンツがコンテンツ１映像（Ａ）である。また、映像系統２の帯域接続先がソース機器<１>、そのコンテンツがコンテンツ１映像（Ｂ）である。さらに、音声系統１の帯域接続先がソース機器<１>、そのコンテンツがコンテンツ１音声（Ａ）である。また、音声系統２の帯域接続先がソース機器<１>、そのコンテンツがコンテンツ１音声（Ｂ）である。
【００９５】
これに対して、ＤＶＤなどからなるソース機器１３０（ソース機器<２>）に関しては、１系統帯域のみである。ここでは、このソース機器<２>は、映像系統１及び音声系統１の帯域接続先及びコンテンツは、帯域を確保していない。シンク機器１５０（シンク機器<２>）についても同様に、映像系統１及び音声系統１の帯域接続先及びコンテンツは、帯域を確保していない。
【００９６】
マスタ機器１１０は、図７の帯域確保処理を実行することにより、ソース・シンク機器機能管理テーブル２００（図４参照）を基に、ソース・シンク機器が確保する帯域を決定し、ソース−シンク機器間で伝送路１００を確保する。そして、マスタ機器１１０は、記憶部１１２（図３参照）に保存されている帯域管理テーブル３００（図８参照）を更新する。
【００９７】
〔帯域変更処理〕
図９は、帯域変更処理を示すフロー図である。本フローは、図５のステップＳ８の「帯域変更処理」の詳細フローである。
【００９８】
図９の帯域変更処理は、２系統の帯域が確保されている場合にのみ行われ、帯域確保処理（図７）時に１系統しか帯域が確保されていない場合は、本帯域変更処理は行われない。
【００９９】
ステップＳ３１では、マスタ機器１１０は、２系統帯域確保において伝送帯域不足か否かを判別する。２系統帯域確保において伝送帯域不足でない場合は、マスタ機器１１０は、本帯域変更処理を実行する必要がないと判断して本フローを終了する。
【０１００】
２系統帯域確保において伝送帯域不足の場合は、ステップＳ３２でマスタ機器１１０は、シンク機器１４０，１５０のコンテンツ使用方法を確認する。シンク機器１４０，１５０のコンテンツ使用方法確認の詳細については、図１０及び図１１により後述する。
【０１０１】
ステップＳ３３では、マスタ機器１１０は、不足帯域を判定する。すなわち、マスタ機器１１０は、不足帯域が「映像のみ不足」、「映像・音声両方不足」、「音声のみ不足」であるかを判定する。「映像のみ不足」又は「映像・音声両方不足」の場合は、ステップＳ３４に進み、「音声のみ不足」の場合はステップＳ３９に進む。
【０１０２】
ステップＳ３４では、マスタ機器１１０は、映像伝送状態を判定する。映像伝送状態判定には、「映像（ミックス）」又は「映像複数」、「映像（Ａ）」、「映像（Ｂ）」がある。ＢＤは、ＨＤサイズ（１９２０×１０８０）の映像を同時に２つ表示することができ、ＰｉｎＰ機能を使用すれば１つの映像再生中に別の映像を画面内に出力することができる。上記映像（ミックス）又は「映像複数」は、このＰｉｎＰ機能を使用した映像をいう。
【０１０３】
「映像（ミックス）」又は「映像複数」と判定された場合、ステップＳ３５で、マスタ機器１１０は、映像（ミックス）伝送１系統に帯域を変更してステップＳ３８に進む。
【０１０４】
「映像（Ａ）」と判定された場合、ステップＳ３６で、マスタ機器１１０は、映像（Ａ）伝送１系統に帯域を変更してステップＳ３８に進む。
【０１０５】
「映像（Ｂ）」と判定された場合、ステップＳ３７で、マスタ機器１１０は、映像（Ｂ）伝送１系統に帯域を変更してステップＳ３８に進む。
【０１０６】
ステップＳ３８では、マスタ機器１１０は、伝送帯域不足が映像・音声両方か否かを判別する。
【０１０７】
映像・音声両方不足の場合は、ステップＳ３９に進み、映像・音声両方不足でない場合は、ステップＳ４３に進む。
【０１０８】
上記ステップＳ３９には、映像・音声両方不足の場合のほか、上記ステップＳ３３で不足帯域が「音声のみ不足」の場合にも移行する。
【０１０９】
ステップＳ３９では、マスタ機器１１０は、音声伝送状態を判定する。音声伝送状態判定には、「音声（ミックス）」又は「音声複数」、「音声（Ａ）」、「音声（Ｂ）」がある。
【０１１０】
「音声（ミックス）」又は「音声複数」と判定された場合、ステップＳ４０で、マスタ機器１１０は、音声（ミックス）伝送１系統に帯域を変更してステップＳ４３に進む。
【０１１１】
「音声（Ａ）」と判定された場合、ステップＳ４１で、マスタ機器１１０は、音声（Ａ）伝送１系統に帯域を変更してステップＳ４３に進む。
【０１１２】
「音声（Ｂ）」と判定された場合、ステップＳ４２で、マスタ機器１１０は、音声（Ｂ）伝送１系統に帯域を変更してステップＳ４３に進む。
【０１１３】
ステップＳ４３では、マスタ機器１１０は、帯域管理テーブル３００（図８参照）を更新して本フローを終了する。
【０１１４】
図１０は、図９のステップＳ３２の「コンテンツ使用方法」を説明する制御シーケンス図である。
【０１１５】
図１０に示すように、マスタ機器１１０は、伝送路１００内のシンク機器１４０，１５０にコンテンツ使用要求を発行する（Ｓ５１参照）。コンテンツ使用要求は、マスタ機器１１０がシンク機器１４０，１５０に対して、現在のＢＤコンテンツが２系統のうちのどちらか、又は２系統を両方使用しているかを確認する。
【０１１６】
コンテンツ使用要求を受信したシンク機器１４０，１５０は、マスタ機器１１０にコンテンツ使用応答を送信する（Ｓ５２参照）。コンテンツ使用応答は、シンク機器１４０，１５０がＢＤコンテンツが２系統のうちのどちらか、又は２系統を両方使用していることを応答する。
【０１１７】
マスタ機器１１０は、シンク機器１４０，１５０からのコンテンツ使用応答を基に、マスタ機器１１０の記憶部１１２（図３参照）に保持されているコンテンツ使用管理テーブル４００（図１１参照）を更新する（Ｓ５３参照）。
【０１１８】
図１１は、コンテンツ使用管理テーブル４００の一例を示す図である。
【０１１９】
図１１に示すように、コンテンツ使用管理テーブル４００は、シンク機器毎に、映像コンテンツと音声コンテンツを格納する。コンテンツ使用管理テーブル４００は、図３のマスタ機器１１０の記憶部１１２に記憶される。
【０１２０】
図１１の場合、シンク機器１４０（シンク機器<１>）は、映像コンテンツを「映像ＡＢ（ミックス）」で使用し、音声コンテンツを「音声ＡＢ（ミックス）」及び「音声Ａ」（単体）で使用している。また、シンク機器１５０（シンク機器<２>）は、２系統の映像・音声コンテンツ使用の対象となっていない。
【０１２１】
マスタ機器１１０は、図９の帯域変更処理を実行する。その帯域変更処理において、図１０の制御シーケンスによりコンテンツ使用方法を確認し、図１１のコンテンツ使用管理テーブル４００を更新する。
【０１２２】
マスタ機器１１０は、他機器伝送開始時、伝送路帯域が不足する場合は、シンク機器１４０，１５０に対して、受信コンテンツの使用方法を確認する（図１０参照）。そして、マスタ機器１１０は、受信コンテンツの使用方法の確認を行った結果を、図３のマスタ機器１１０の記憶部１１２のコンテンツ使用管理テーブル４００に保持する。マスタ機器１１０は、コンテンツ使用管理テーブル４００を基に、確保している伝送帯域の変更を行う。
【０１２３】
マスタ機器１１０は、確保した帯域を変更する際、伝送路１００の状態とシンク機器１４０，１５０のコンテンツ使用状況を確認し、帯域の制御を行う。例えば、マスタ機器１１０は、コンテンツ使用方法を判定し、コンテンツ使用方法が１系統であればその１系統の使用方法を続け、２つ以上のコンテンツ使用方法であれば、伝送方法をミックス伝送にし、帯域を１系統にする。すなわち、マスタ機器１１０は、２つ以上のコンテンツ使用方法の状況で、帯域を１系統に変更する場合は、ミックス伝送にする制御を行う。マスタ機器１１０は、使わない２系統のうちの１系統を切断し、そして、残している１系統をミックス伝送とする。
【０１２４】
ミックス伝送にする理由は以下の通りである。２つ以上のコンテンツ使用方法を１系統に変更せざるを得ない場合であってもユーザになるべく違和感を与えないようにすることが好ましい。また、ＢＤは、ＰｉｎＰのように映像・音声を複数同時出力するミックス出力が可能である。そこで、本実施の形態では、このようなＢＤのミックス出力を活かし、帯域を１系統に変更せざるを得ない場合には、ユーザが使用中の映像・音声を、ミックス出力として残す。ユーザから見ると、使用中コンテンツが突然切れることなく、ミックス出力に切替わって継続されることになる。
【０１２５】
図１２は、映像・音声２系統出力中に、映像・音声とも１系統へ帯域変更した場合の帯域管理テーブル３００の一例を示す図である。図８の場合と同様に、伝送路１００内の機器は、ソース機器１２０（ソース機器<１>）、シンク機器１４０（シンク機器<１>）、ソース機器１３０（ソース機器<２>）、及びシンク機器１５０（シンク機器<２>）である。これら機器種別毎に、映像系統１、映像系統２、音声系統１及び音声系統２の帯域接続先とコンテンツが保存される。
【０１２６】
上述したように、マスタ機器１１０は、２つ以上のコンテンツ使用方法であれば、伝送方法をミックス伝送にし、帯域を１系統にする。例えば、マスタ機器１１０は、図１１のコンテンツ使用管理テーブル４００に従って、映像・音声２系統出力から映像・音声とも１系統への帯域変更を行う。
【０１２７】
以下、図１１のコンテンツ使用管理テーブル４００を用いて、図８の帯域管理テーブル３００から図１２の帯域管理テーブル３００への更新について具体的に説明する。
【０１２８】
ソース機器<１>，シンク機器<１>間で確保している帯域について、映像・音声両方不足した場合を例として説明する。図１１のコンテンツ使用管理テーブル４００をマスタ機器１１０が確認すると、シンク機器<１>は、映像コンテンツとして、「ＡＢミックス」の状態で使用し、音声コンテンツは、「ＡＢミックス」と「単体Ａ」の２種類同時に使用している。
【０１２９】
映像については、「ＡＢミックス」のみであるため、ソース機器は、映像系統１の「単体Ａ」を「ＡＢミックス」伝送に使用し、他方の映像系統２の帯域を解放する。シンク機器は、映像系統２を切断し、映像系統１は帯域の切断を行わず、ソース機器からの「ＡＢミックス」を受信する。これにより、帯域管理テーブル３００の映像系統は、映像系統１のみ残り（「ＡＢコンテンツ」として）、映像系統２は帯域を確保していない状態となっている。
【０１３０】
音声については、「ＡＢミックス」と「単体Ａ」の２種類同時に使用しているため、ソース機器は、音声系統１の「単体Ａ」を「ＡＢミックス」伝送に使用し、他方の音声系統２の帯域を解放する。シンク機器は、音声系統２を切断し、音声系統１は帯域の切断を行わず、ソース機器からの「ＡＢミックス」を受信する。これにより、帯域管理テーブル３００の音声系統は、音声系統１のみ残り（「ＡＢコンテンツ」として）、音声系統２は帯域を確保していない状態となっている。
【０１３１】
上記は、図９のフローのステップＳ３５，ステップＳ３６，ステップＳ３７，ステップＳ４０，ステップＳ４１，ステップＳ４２の処理で実行される。これらのステップで、帯域の解放・切断処理が行われる。よって、帯域管理テーブル３００を更新するステップＳ４３に達するまでに帯域は１系統へと変更されている。
【０１３２】
〔帯域解放処理〕
図１３は、帯域解放処理を示すフロー図である。本フローは、図５のステップＳ６の「帯域解放処理」の詳細フローである。
【０１３３】
ステップＳ６１では、マスタ機器１１０は、ソース・シンク機器を全て解放か否かを判別する。ソース・シンク機器を全て解放の場合は、ステップＳ６２に進み、全て解放しない場合は、ステップＳ６４に進む。ここでいう全て解放は、伝送路上に接続したソース機器・シンク機器全ての帯域を解放・切断を行うことではなく、各ソース機器、シンク機器で確保・接続した帯域についての処理という前提のシーケンスである。例えば、ソース機器<１>とシンク機器<１>間の処理である。
【０１３４】
ステップＳ６２では、マスタ機器１１０は、シンク機器１４０，１５０の全帯域切断処理を行い、ステップＳ６３でソース機器１２０，１３０の全帯域解放処理を行ってステップＳ７０に進む。上記全帯域解放処理は、ソース機器１２０，１３０のいずれかに接続しているシンク機器１４０，１５０のいずれかの機器の全帯域の解放・切断を行う。
【０１３５】
ステップＳ６４では、マスタ機器１１０は、映像１系統帯域解放か否かを判別し、映像１系統帯域解放の場合はステップＳ６５に進み、映像１系統帯域解放でない場合はステップＳ６７に進む。
【０１３６】
ステップＳ６５では、マスタ機器１１０は、シンク機器１４０，１５０の映像１系統帯域切断処理を行い、ステップＳ６６でソース機器１２０，１３０の映像１系統帯域解放処理を行ってステップＳ６７に進む。上記映像１系統帯域切断処理は、ソース機器１２０，１３０のいずれかに接続しているシンク機器１４０，１５０のいずれかの機器の１系統の帯域の解放・切断を行う。
【０１３７】
ステップＳ６７では、マスタ機器１１０は、音声１系統帯域解放か否かを判別し、音声１系統帯域解放の場合はステップＳ６８に進み、音声１系統帯域解放でない場合はステップＳ７０に進む。
【０１３８】
ステップＳ６８では、マスタ機器１１０は、シンク機器１４０，１５０の音声１系統帯域切断処理を行い、ステップＳ６９でソース機器１２０，１３０の音声１系統帯域解放処理を行ってステップＳ７０に進む。上記音声１系統帯域切断処理は、ソース機器１２０，１３０のいずれかに接続しているシンク機器１４０，１５０のいずれかの機器の１系統の帯域の解放・切断を行う。
【０１３９】
ステップＳ７０では、マスタ機器１１０は、帯域管理テーブル３００（図８及び図１２参照）を更新して本フローを終了する。
【０１４０】
以上詳細に説明したように、本実施の形態によれば、マスタ機器１１０は、複数の映像及び音声の伝送時、ソース・シンク機器機能管理テーブル２００及び帯域管理テーブル３００を参照して、ソース・シンク機器に対して、映像及び音声の帯域を制御する。また、マスタ機器１１０は、確保した帯域を変更する際、伝送路１００の状態とシンク機器１４０，１５０のコンテンツ使用状況を確認し、帯域の制御を行う。例えば、マスタ機器１１０は、２系統の映像及び音声を１系統で出力する場合、２系統の映像及び音声を合成した１系統の帯域に変更する。これにより、マスタ機器１１０は、ＢＤなど複数の映像・音声の同時出力可能なマルチメディア機器の管理を行うことができる。制限された周波数帯域の伝送路に接続されるマルチメディア機器の映像・音声を、ユーザ使用に最適化して提供することができる。車載環境で用いられるマルチメディア機器制御システムに適用して好適である。
【０１４１】
以上の説明は本発明の好適な実施の形態の例証であり、本発明の範囲はこれに限定されることはない。
【０１４２】
例えば、ソース機器１２０，１３０とシンク機器１４０，１５０とマスタ機器１１０とが別々に存在しているが、マスタ機器１１０は、ソース機器１２０，１３０もしくはシンク機器１４０，１５０の一部として、同装置内に配置してもよい。
【０１４３】
また、本実施の形態では、映像・音声それぞれが２系統の例を示したが、映像もしくは音声どちらかだけが２系統の場合もある。また、映像・音声が別である場合において、映像・音声を同じ帯域で確保し、それを２系統分、２帯域確保する態様でもよい。さらに、映像・音声はそれぞれが２系統の例を示したが、映像・音声とも、より多数の系統がある場合も同様に適用可能である。
【０１４４】
また、本実施の形態では、帯域変更処理（図９参照）で、シンク機器に対して、受信コンテンツの使用方法を確認（図１０参照）してから伝送帯域の変更を行っている。しかし、シンク機器の状態に関わらず、固定で伝送方法をミックス伝送にし、帯域を１系統にする方法も考えられる。
【０１４５】
また、本実施の形態では、帯域変更処理（図９参照）で、シンク機器に対して、受信コンテンツの使用方法を確認（図１０参照）してから伝送帯域の変更を行っている。しかし、このときに同時にシンク機器が、伝送帯域の変更方法をマスタ機器へ要望し、その要望に合わせて、帯域を１系統にする方法も考えられる。
【０１４６】
また、本実施の形態では、説明の便宜上、マルチメディア機器制御システムという名称を用いたが、車載通信装置、伝送システム等の名称であってもよいことは勿論である。
【０１４７】
さらに、上記マルチメディア機器制御装置を構成する各回路部、例えば通信制御部、記憶部等の種類、数及び接続方法などは前述した実施の形態に限られない。
【０１４８】
また、以上説明したマルチメディア機器制御装置、ソース機器、シンク機器及び伝送システムは、このマルチメディア機器制御装置を機能させるためのプログラムでも実現される。このプログラムはコンピュータで読み取り可能な記録媒体に格納されている。
【０１４９】
２００８年１０月２４日出願の特願２００８−２７４８７６の日本出願に含まれる明細書、図面及び要約書の開示内容は、すべて本願に援用される。
【産業上の利用可能性】
【０１５０】
本発明に係るマルチメディア機器制御装置、ソース機器、シンク機器及び伝送システムは、車載環境における伝送路の帯域を管理してマルチメディア機器を制御するマルチメディア機器制御装置に有用である。また、車載環境に限らず、制限された周波数帯域の伝送路に接続されるマルチメディア機器を制御するマスタ機器であればどのような装置も適用できる。
【符号の説明】
【０１５１】
１００  伝送路
１１０  マスタ機器
１１１  処理部
１１２  記憶部
１１３  通信制御部
１２０，１３０  ソース機器
１２１，１３１，１４１，１５１  処理部
１２２，１３２  データ出力部
１２３，１３３，１４３，１５３  通信制御部
１４０，１５０  シンク機器
１４２，１５２  データ入力部
２００  ソース・シンク機器機能管理テーブル
３００  帯域管理テーブル
４００  コンテンツ使用管理テーブル
【図１】
2010047124.tif 000003
【図２】
2010047124.tif 000004
【図３】
2010047124.tif 000005
【図４】
2010047124.tif 000006
【図５】
2010047124.tif 000007
【図６】
2010047124.tif 000008
【図７】
2010047124.tif 000009
【図８】
2010047124.tif 000010
【図９】
2010047124.tif 000011
【図１０】
2010047124.tif 000012
【図１１】
2010047124.tif 000013
【図１２】
2010047124.tif 000014
【図１３】
2010047124.tif 000015
【手続補正書】
【提出日】平成22年12月8日(2010.12.8)
【手続補正１】
【補正対象書類名】明細書
【補正対象項目名】全文
【補正方法】変更
【補正の内容】
【発明の詳細な説明】
【技術分野】
【０００１】
本発明は、複数のマルチメディア機器を制御するマルチメディア機器制御装置、ソース機器、シンク機器及び伝送システムに関する。
【背景技術】
【０００２】
従来、マルチメディア情報を、利用者の要求に応じて提供するシステムでは、複数の情報を同時に伝送するために、広い周波数帯域を使って、帯域ごとに音声や映像や文字を割り当てていた。
【０００３】
車両内マルチメディア情報提供装置では、使用できる周波数帯域が制限される。制限された伝送周波数帯域内で、複数のマルチメディア情報を伝送するため、伝送帯域を適切に管理する必要がある。
【０００４】
特許文献１には、マスタ機器が、ソース・シンク機器間の帯域を確保する際、最大帯域幅・最小帯域幅・優先度を確認する帯域管理装置が記載されている。特許文献１記載の装置は、伝送路に最大帯域幅分を確保できる容量がある場合は、最大帯域幅分を確保し、伝送路に最大帯域幅分を確保できない場合は、既に確保されている帯域幅の縮小、もしくは、優先度の低い帯域を解放する。これにより、多数の機器が、伝送路を最大限有効利用できるようにしようとする。
【０００５】
図１は、車載環境で用いられるマルチメディア機器制御システムの構成を示すブロック図である。
【０００６】
図１に示すように、マルチメディア機器制御システムは、伝送路１０にマスタ機器１１、複数のソース機器１２，１３（ソース機器Ａ，Ｂ）、及び複数のシンク機器１４，１５（シンク機器Ａ，Ｂ）が接続される。
【０００７】
ソース機器Ａ，Ｂは、映像・音声出力機器である。シンク機器Ａ，Ｂは、映像・音声入力機器である。例えば、車載用の電子機器では、ナビゲーションシステム、ＤＶＤ（Digital Versatile Disk）プレーヤ及びテレビ受信機のように、ＬＣＤ等の表示器を利用して、ＣＤ−ＲＯＭやＤＶＤ等の記録媒体に記録された画像又はテレビジョン放送の画像等を表示する表示装置がある。
【０００８】
伝送路１０は、任意の映像・音声・制御信号を伝送できるネットワークである。その規格の例としては、ＭＯＳＴ（Media Oriented Systems Transport）（以下、ＭＯＳＴ）規格や、ＩＥＥＥ（Institute of Electrical and Electronics Engineers）１３９４ High
Performance Serial Bus（以下、ＩＥＥＥ１３９４）などがある。
【０００９】
マスタ機器１１は、伝送路１０に接続されたこれら機器、ここではソース機器Ａ，Ｂ、シンク機器Ａ，Ｂの音声・伝送を管理する。具体的には、マスタ機器１１は、ソース機器−シンク機器間の音声・映像の伝送帯域を張り、制御管理を行う。
【００１０】
図２は、マスタ機器１１がソース機器Ａ，Ｂ及びシンク機器Ａ，Ｂを管理する帯域管理テーブル２０を示す図である。
【００１１】
図２に示すように、帯域管理テーブル２０は、帯域管理番号ＩＤ毎に、帯域接続機器及び帯域幅を格納する。図２の場合、例えば帯域管理番号ＩＤ１には、帯域接続機器はソー
ス機器Ａ及びシンク機器Ａ、伝送路１０の帯域幅１０Ｍｂｐｓを格納する。また、帯域管理番号ＩＤ２には、帯域接続機器はソース機器Ｂ及びシンク機器Ｂ、伝送路１０の帯域幅５Ｍｂｐｓを格納し、帯域管理番号ＩＤ３には、帯域接続機器はソース機器Ａ及びシンク機器Ｂ、伝送路１０の帯域幅３Ｍｂｐｓを格納する。帯域管理番号ＩＤ１のソース機器Ａ及びシンク機器Ａの組合せが、最も大きな帯域幅を要求する。
【００１２】
車載環境では、複数のソース機器Ａ，Ｂと複数のシンク機器Ａ，Ｂが存在し、それらの機器を制御するマスタ機器１１が存在する。それぞれの機器間は伝送路１０でつながっている。映像・音声が送受信される際、ソース機器Ａ，Ｂとシンク機器Ａ，Ｂ間で伝送帯域が確保され、その伝送帯域に映像や音声が伝送されている。マスタ機器１１は、帯域管理テーブル２０を基に、伝送帯域の管理を行う。
【先行技術文献】
【特許文献】
【００１３】
【特許文献１】特開２０００−１１５１９８号公報
【発明の概要】
【発明が解決しようとする課題】
【００１４】
従来の車載用のマルチメディア機器制御装置では、マスタ機器１１は、１帯域確保時毎に制御を行っている。その際、既に伝送路１０上に確保されている複数の帯域間の関連性に関係なく帯域幅の縮小、もしくは、優先度の低い帯域の解放が行われている。
【００１５】
従来の車載機器通信では、１つのソース機器からの１コンテンツの映像・音声の出力系統は１系統のみであった。例えば、従来のＤＶＤ等のコンテンツに関しては、１コンテンツあたり、１映像・１音声の出力系統しか存在していなかった。このため、マスタ機器１１は、複数の帯域間の関連性を考慮しなくても問題がなかった。
【００１６】
しかしながら、車載用のマルチメディア機器として、ＢＤ（Blu-ray Disc）を導入しようとすると以下の課題がある。
【００１７】
ＢＤでは、Bonus Viewのピクチャーインピクチャー（ＰｉｎＰ）機能など、１コンテンツあたり２系統の映像・音声を同時に出力する機能が存在する。これら２系統の映像・音声には関連性があるため、マスタ機器は、１コンテンツあたり２系統の映像・音声という複数の帯域を管理し、複数の帯域間の関係に応じて帯域の制御を行うシステムが必要となる。
【００１８】
また、ソース機器又はシンク機器の性能によっては、２系統の帯域を伝送・受信することができない機器も存在する。そのため、マスタ機器は、２系統の映像・音声の伝送手段をソース機器の伝送機能またはシンク機器の受信機能により判断して、帯域の制御を行う必要がある。
【００１９】
本発明の目的は、ＢＤなど複数の映像・音声の同時出力が可能なマルチメディア機器の管理を行うことができるマルチメディア機器制御装置、ソース機器、シンク機器及び伝送システムを提供することである。
【課題を解決するための手段】
【００２０】
本発明のマルチメディア機器制御装置は、伝送路と、前記伝送路に接続され、複数の映像及び音声の同時出力が可能なマルチメディア機器とを備え、前記伝送路の帯域を管理して前記マルチメディア機器を制御するマルチメディア機器制御装置であって、前記マルチメディア機器の機能を管理する機能管理テーブルと、前記マルチメディア機器により確保
されている帯域の状態を管理する帯域管理テーブルと、複数の映像及び音声の伝送時、前記機能管理テーブル及び前記帯域管理テーブルを参照して、前記マルチメディア機器に対して、映像及び音声の帯域を制御する帯域制御手段とを備える。
【００２１】
本発明のソース機器は、伝送路を介してマルチメディア機器制御装置に接続され、複数の映像及び音声の同時出力が可能なソース機器であって、前記マルチメディア機器制御装置からの機器制御信号を受信し、前記制御信号により指示された帯域を用いて送信する。
【００２２】
本発明のシンク機器は、伝送路を介してマルチメディア機器制御装置に接続され、複数の映像及び音声の同時出力が可能なシンク機器であって、前記マルチメディア機器制御装置からの機器制御信号を受信し、前記制御信号により指示された帯域を用いて受信する。
【００２３】
本発明の伝送システムは、伝送路と、前記伝送路に接続され、複数の映像及び音声の同時出力が可能なマルチメディア機器と、前記伝送路の帯域を管理して前記マルチメディア機器を制御するマルチメディア機器制御装置とから構成される伝送システムであって、前記マルチメディア機器制御装置は、前記マルチメディア機器の機能を管理する機能管理テーブルと、前記マルチメディア機器により確保されている帯域の状態を管理する帯域管理テーブルと、複数の映像及び音声の伝送時、前記機能管理テーブル及び前記帯域管理テーブルを参照して、前記マルチメディア機器に対して、映像及び音声の帯域を制御する帯域制御手段とを備える。
【発明の効果】
【００２４】
本発明によれば、ＢＤなど複数の映像・音声の同時出力可能なマルチメディア機器の管理を行うことができる。
【図面の簡単な説明】
【００２５】
【図１】車載環境で用いられるマルチメディア機器制御システムの構成を示すブロック図
【図２】マスタ機器がソース機器Ａ，Ｂ及びシンク機器Ａ，Ｂを管理する帯域管理テーブルを示す図
【図３】本発明の一実施の形態に係るマルチメディア機器制御システムの構成を示すブロック図
【図４】上記実施の形態に係るマルチメディア機器制御システムのソース・シンク機器機能管理テーブルの一例を示す図
【図５】上記実施の形態に係るマルチメディア機器制御システムのマスタ機器の処理の全体フロー図
【図６】上記実施の形態に係るマルチメディア機器制御システムのソース・シンク機器機能確認処理を説明する制御シーケンス図
【図７】上記実施の形態に係るマルチメディア機器制御システムの帯域確保処理を示すフロー図
【図８】上記実施の形態に係るマルチメディア機器制御システムの帯域管理テーブルの一例を示す図
【図９】上記実施の形態に係るマルチメディア機器制御システムの帯域変更処理を示すフロー図
【図１０】上記実施の形態に係るマルチメディア機器制御システムのコンテンツ使用方法を説明する制御シーケンス図
【図１１】上記実施の形態に係るマルチメディア機器制御システムのコンテンツ使用管理テーブルの一例を示す図
【図１２】上記実施の形態に係るマルチメディア機器制御システムの帯域変更した場合の帯域管理テーブルの一例を示す図
【図１３】上記実施の形態に係るマルチメディア機器制御システムの帯域解放処理を示すフロー図
【発明を実施するための形態】
【００２６】
以下、本発明の実施の形態について図面を参照して詳細に説明する。
【００２７】
（実施の形態）
図３は、本発明の一実施の形態に係るマルチメディア機器制御システムの構成を示すブロック図である。
【００２８】
図３のマルチメディア機器制御システムでは、伝送路１００にマスタ機器１１０、ソース機器１２０（ソース機器<１>）、ソース機器１３０（ソース機器<２>）、シンク機器１４０（シンク機器<１>）、及びシンク機器１５０（シンク機器<２>）が接続されている。これらの機器は相互に通信可能である。
【００２９】
ソース機器１２０，１３０は、映像・音声出力機器である。シンク機器１４０，１５０は、映像・音声入力機器である。例えば、ソース機器１２０は、２系統伝送コンテンツを供給するＢＤであり、ソース機器１３０は、ＤＶＤプレーヤである。これは一例であり、車載用の電子機器では、ナビゲーションシステム、ＤＶＤプレーヤ及びテレビ受信機がある。
【００３０】
伝送路１００は、ＭＯＳＴやＩＥＥＥ１３９４など、任意の映像・音声・制御信号を伝送できるネットワークである。
【００３１】
マスタ機器１１０は、伝送路１００に接続されたソース機器１２０，１３０、シンク機器１４０，１５０の音声・伝送を管理する。マスタ機器１１０は、１コンテンツあたり２系統の映像・音声という複数の帯域を管理する。
【００３２】
マスタ機器１１０は、帯域を確保する前に、ソース機器１２０，１３０、シンク機器１４０，１５０の性能を確認し、機器の性能にあった帯域の確保を行う。
【００３３】
マスタ機器１１０は、確保した帯域を変更する際、伝送路１００の状態とシンク機器１４０，１５０のコンテンツ使用状況を確認し、帯域の制御を行う。
【００３４】
マスタ機器１１０は、処理部１１１、記憶部１１２、及び通信制御部１１３を有する。
【００３５】
処理部１１１は、マスタ機器１１０に関する処理を行う。マスタ機器１１０に関する処理には、本実施の形態で行われる処理全般がある。例としては、伝送路帯域の管理処理、各種管理テーブルの記憶部１１２への保持・読み出し処理が挙げられる。他には、ソース機器・シンク機器へのコマンド要求・応答発生時の通信制御部１１３への処理要求処理なども挙げられる。
【００３６】
記憶部１１２は、ソース機器１２０，１３０とシンク機器１４０，１５０の性能、機能を管理するソース・シンク機器機能管理テーブル２００（図４参照）を記憶する。上記機能とは、具体的には、ソース機器１２０，１３０については、１コンテンツの映像・音声を同時に出力可能な出力系統数、シンク機器１４０，１５０については、１コンテンツの映像・音声を同時に入力可能な入力系統数である。
【００３７】
また、記憶部１１２は、処理データを一時的に保持する。ソース・シンク機器機能管理テーブル２００（図４参照）は、伝送路１００上の全ての機器間で確保されている帯域の状態を管理する。ソース・シンク機器機能管理テーブル２００は、後述する図６のソース
・シンク機器機能確認処理により更新される。
【００３８】
さらに、記憶部１１２は、帯域管理テーブル３００（図８参照）、及びコンテンツ使用管理テーブル４００（図１１参照）を格納する。帯域管理テーブル３００は、ソース機器１２０，１３０とシンク機器１４０，１５０により確保されている帯域の状態を管理する。また、コンテンツ使用管理テーブル４００は、ソース機器１２０，１３０とシンク機器１４０，１５０のコンテンツ使用状況を管理する。
【００３９】
通信制御部１１３は、伝送路１００上で通信を行う。
【００４０】
ソース機器１２０は、処理部１２１、データ出力部１２２、及び通信制御部１２３を有する。ソース機器１３０は、処理部１３１、データ出力部１３２、及び通信制御部１３３を有する。
【００４１】
処理部１２１，１３１は、ソース機器１２０，１３０に関する処理を行う。ソース機器１２０，１３０に関する処理には、本実施の形態で行われる処理全般がある。例としては、マスタ機器１１０からの機器確認要求に対する情報を通信制御部１２３，１３３を通して通知する処理が挙げられる。他には、データ出力部１２２，１３２の再生・停止などの要求処理が挙げられる。さらに他には、マスタ機器１１０からの帯域確保・解放要求を通信制御部１２３，１３３へ通知し、制御を行う処理などが挙げられる。
【００４２】
データ出力部１２２，１３２は、映像・音声のコンテンツを出力する。
【００４３】
通信制御部１２３，１３３は、マスタ機器１１０により割り当てられた帯域を確保して、伝送路１００上で通信を行う。
【００４４】
シンク機器１４０は、処理部１４１、データ入力部１４２、及び通信制御部１４３を有する。シンク機器１５０は、処理部１５１、データ入力部１５２、及び通信制御部１５３を有する。
【００４５】
処理部１４１，１５１は、シンク機器に関する処理を行う。シンク機器に関する処理には、例えば、マスタ機器１１０からの機器確認要求や、コンテンツ使用要求に対する情報を通信制御部１４３，１５３を通して通知する処理、データ入力部１４２，１５２の開始・停止などの要求処理、マスタ機器１１０からの帯域接続・切断要求を通信制御部１４３，１５３へ通知し、制御を行う処理など、本実施の形態で行われる処理全般がある。
【００４６】
データ入力部１４２，１５２は、映像・音声のコンテンツを入力する。
【００４７】
通信制御部１４３，１５３は、マスタ機器１１０により帯域を確保して、ソース機器の帯域に接続を行って伝送路１００上で通信を行う。
【００４８】
図４は、ソース・シンク機器機能管理テーブル２００の一例を示す図である。
【００４９】
図４に示すように、ソース・シンク機器機能管理テーブル２００は、機器種別毎に、伝送機能と受信機能を格納する。図４の例では、例えばソース機器１２０（ソース機器<１>）は、伝送機能が「２系統出力」、受信機能が「なし」である。ソース機器１２０（ソース機器<１>）は、例えばＢＤである。また、ソース機器１２０（ソース機器<１>）は、地上デジタル放送用チューナの２系統出力からユーザが選ぶ場合も含まれる。シンク機器１４０（シンク機器<１>）は、リアディスプレイ、ヘッドフォンアンプなどの機器である。ソース機器１３０（ソース機器<２>）は、例えばＤＶＤである。シンク機器１５０（シン
ク機器<２>）は、例えばオーディオアンプである。
【００５０】
図４では、ソース機器１２０（ソース機器<１>）は、２系統出力が可能で、シンク機器１４０（シンク機器<１>）は、２系統入力が可能であることを示す。また、ソース機器１３０（ソース機器<２>）は、１系統出力が可能で、シンク機器１５０（シンク機器<２>）は、１系統入力が可能であることを示す。
【００５１】
以下、上述のように構成されたマルチメディア機器制御システムの動作について説明する。
【００５２】
〔全体処理〕
図５は、マスタ機器１１０の処理の全体フロー図である。図中、Ｓはフローの各ステップを示す。
【００５３】
ステップＳ１では、マスタ機器１１０は、ソース機器、シンク機器の機能状況を確認する「ソース・シンク機器機能確認処理」（図６参照）を実行する。例えば、車載用のマルチメディア機器制御システムの場合、ユーザがエンジンをかけ電子機器電源投入直後に、ソース・シンク機器が映像・音声を伝送する前に、マスタ機器１１０は、ソース・シンク機器に対し、ＢＤのコンテンツが伝送できるのかを確認する。
【００５４】
ステップＳ２では、マスタ機器１１０は、ソース機器１２０，１３０が伝送開始か否かを判別する。この伝送開始は、ＢＤコンテンツを伝送するか否かの判別である。
【００５５】
ソース機器１２０，１３０が映像・音声の伝送開始（ＢＤコンテンツ伝送開始）でない場合は、ステップＳ３に進み、ソース機器１２０，１３０が映像・音声の伝送開始（ＢＤコンテンツ伝送開始）の場合は、ステップＳ４に進む。
【００５６】
ステップＳ３では、マスタ機器１１０は、任意のソース機器が映像・音声の伝送停止か否かを判別する。任意のソース機器が映像・音声の伝送停止でない場合は、何もせず上記ステップＳ２に戻る。この場合、ステップＳ２及びステップＳ３を回る無限ループとなる。
【００５７】
ステップＳ４では、マスタ機器１１０は、帯域確保処理（図７参照）を行う。この帯域確保処理は、マスタ機器１１０が、ソース・シンク機器の機能を見て、ソース・シンク機器が２系統帯域を伝送できる場合は２系統帯域を、できない場合は１系統帯域を確保する処理である。帯域確保処理の詳細については、図７により後述する。
【００５８】
ステップＳ５では、マスタ機器１１０は、例えばユーザ操作に基づいて該当ソース機器の伝送路１００を２系統から１系統、２系統から０、又は１系統から０に変更するか否かを判別する。
【００５９】
上記ステップＳ３で任意のソース機器が映像・音声の伝送停止の場合、あるいは上記ステップＳ５で伝送路１００を２系統から１系統、２系統から０、又は１系統から０に変更する場合はステップＳ６に進む。
【００６０】
ステップＳ６では、マスタ機器１１０は、帯域解放処理を行って上記ステップＳ２に戻る。
【００６１】
上記ステップＳ５で伝送路１００を２系統から１系統、２系統から０、又は１系統から０に変更しない場合は、ステップＳ７に進む。
【００６２】
ステップＳ７では、マスタ機器１１０は、他のソース機器が映像・音声の伝送を行うか否かを判別する。
【００６３】
他のソース機器が映像・音声の伝送を行わない場合は、上記ステップＳ５に戻る。
【００６４】
他のソース機器が映像・音声の伝送を行う場合は、ステップＳ８でマスタ機器１１０は、帯域変更処理（図１０参照）を行って上記ステップＳ５に戻る。
【００６５】
〔ソース・シンク機器機能確認処理〕
図６は、図５のステップＳ１の「ソース・シンク機器機能確認処理」を説明する制御シーケンス図である。
【００６６】
図６に示すように、マスタ機器１１０は、伝送路１００上に繋がっている全てのソース機器１２０，１３０に機能確認要求を発行する（Ｓ１１参照）。ここでの機能確認要求とは、マスタ機器１１０が、一般的なソース機器・シンク機器の情報を得るために行う確認要求／確認応答ではなく、ＢＤの２系統又は１系統を伝送するときに必要な情報を得るために行う確認要求／確認応答である。より具体的には、この機能確認要求は、ＢＤを使用して伝送できる系統が２系統か１系統かを確認する要求である。
【００６７】
機能確認要求を受信したソース機器１２０，１３０は、マスタ機器１１０に機能確認応答を送信する（Ｓ１２参照）。この機能確認応答は、ソース機器１２０，１３０が上記機能確認要求を受けた時点において、ソース機器１２０，１３０がＢＤの２系統か１系統の何れを使用するかを応答する。
【００６８】
マスタ機器１１０は、ソース機器１２０，１３０からの機能確認応答を基に、マスタ機器１１０の記憶部１１２（図３参照）に保持されているソース・シンク機器機能管理テーブル２００（図４参照）を更新する（Ｓ１３参照）。
【００６９】
マスタ機器１１０は、伝送路１００上に繋がっている全てのシンク機器１４０，１５０に機能確認要求を発行する（Ｓ１４参照）。
【００７０】
機能確認要求を受信したシンク機器１４０，１５０は、マスタ機器１１０に機能確認応答を送信する（Ｓ１５参照）。
【００７１】
マスタ機器１１０は、シンク機器１４０，１５０からの機能確認応答を基に、マスタ機器１１０の記憶部１１２（図３参照）に保持されているソース・シンク機器機能管理テーブル２００（図４参照）を更新する（Ｓ１６参照）。
【００７２】
このように、マスタ機器１１０は、伝送路１００内のソース・シンク機器に対して、機能の確認を行い、確認の結果得られた機能確認応答を基に、記憶部１１２（図３参照）のソース・シンク機器機能管理テーブル２００（図４参照）を更新する。図４では、ソース機器１２０（ソース機器<１>）は、２系統出力、シンク機器１４０（シンク機器<１>）は、２系統入力、ソース機器１３０（ソース機器<２>）は、１系統出力、シンク機器１５０（シンク機器<２>）は、１系統入力である。
【００７３】
マスタ機器１１０は、帯域を確保する前に、ソース機器・シンク機器の性能を確認し、機器の性能にあった帯域の確保を行う。このため、上述したソース・シンク機器機能確認処理は、マスタ機器１１０が伝送帯域を確保する場合に最初に実行されるが、適当なタイミングで適宜実行される態様でもよい。
【００７４】
〔帯域確保処理〕
図７は、帯域確保処理を示すフロー図である。本フローは、図５のステップＳ４の「帯域確保処理」の詳細フローである。
【００７５】
ステップＳ２１では、マスタ機器１１０は、２系統伝送コンテンツの伝送か否かを判別する。本実施の形態では、２系統伝送コンテンツは、ＢＤコンテンツである。マスタ機器１１０は、ＢＤコンテンツが、２系統伝送コンテンツか１系統伝送コンテンツかを判別する。
【００７６】
２系統伝送コンテンツの場合は、ステップＳ２２でマスタ機器１１０は、ソース・シンク機器機能管理テーブル２００を確認する。
【００７７】
ステップＳ２３では、マスタ機器１１０は、ソース・シンク機器機能管理テーブル２００を参照して、ソース機器１２０，１３０が２系統伝送可能か否かを判別する。
【００７８】
ソース機器１２０，１３０の少なくとも一つが２系統伝送可能である場合は、ステップＳ２４で、マスタ機器１１０は、ソース・シンク機器機能管理テーブル２００を参照して、シンク機器１４０，１５０が２系統受信可能か否かを判別する。
【００７９】
シンク機器１２０，１３０の少なくとも一つが２系統受信可能である場合は、ステップＳ２５に進む。ステップＳ２５及びステップＳ２６では、マスタ機器１１０は、ソース機器・シンク機器の性能（２系統・１系統）に応じて、ソース機器・シンク機器を選択する。
【００８０】
ここで、本シーケンス（図７）は、ソース機器・シンク機器の性能（２系統・１系統）で帯域を確保・接続する機器を選択するのではない。本シーケンスは、各々の機器に対して、図４のソース・シンク機器機能管理テーブル２００より２系統・１系統のどちらの機能を有するかを確認し、機能に合った帯域を確保する。すなわち、「帯域確保処理」に入る時点で、帯域を確保・接続するソース機器・シンク機器は決まっている（例えば、ソース機器１２０とシンク機器１４０の組み合わせ等）。また、ステップＳ２５及びステップＳ２６の時点でソース・シンク機器の確保する帯域と接続する帯域は２系統と決定しているため、マスタ機器１１０は、ソース機器・シンク機器の帯域を２帯域確保・接続することとなる。
【００８１】
ステップＳ２５及びステップＳ２６では、マスタ機器１１０は、各々の機器に対して、ソース・シンク機器機能管理テーブル２００（図４）を参照して、２系統・１系統のどちらの機能をもっているかを確認し、機能に合った帯域を確保する。具体的には、以下の通りである。
【００８２】
シンク機器１４０，１５０の少なくとも一つが２系統受信可能である場合は、ステップＳ２５で、マスタ機器１１０は、ソース機器１２０，１３０の２系統帯域確保処理を行ってステップＳ２５に進む。２系統帯域確保処理においては、まず、マスタ機器１１０からソース機器１２０，１３０に対して帯域確保要求（２帯域分）を出す。そして、ソース機器１２０，１３０はその要求に対して、伝送路１００上にデータ出力部１２２，１３２から出力するＢＤの映像・音声の帯域を、通信制御部１１３によって、各々２つずつ確保する。
【００８３】
ステップＳ２６では、マスタ機器１１０は、シンク機器１４０，１５０の２系統帯域接続処理を行ってステップＳ２９に進む。２系統帯域接続処理においては、まず、マスタ機
器１１０からシンク機器１４０，１５０へ帯域接続要求（２帯域分・接続先帯域（接続先ソース機器の帯域番号等の情報）の情報）を出す。そして、シンク機器１４０，１５０はその要求に対して、既にソース機器１２０，１３０より伝送路１００上に確保されたＢＤの映像・音声の帯域に対して、通信制御部１１３によって、接続し、ソース機器１２０，１３０からのＢＤの映像・音声情報を取得する。
【００８４】
本実施の形態では、図４のソース・シンク機器機能管理テーブル２００の一例に示すように、ソース機器１２０及びシンク機器１４０が、２系統伝送コンテンツの伝送／受信が可能なＢＤであるとする。このため、上記ステップＳ２５では、マスタ機器１１０は、ソース機器１２０に対して２系統帯域確保処理を行い、上記ステップＳ２６では、シンク機器１４０に対して２系統帯域接続処理を行う。
【００８５】
一方、上記ステップＳ２１で２系統伝送コンテンツの伝送要求がない場合は、ステップＳ２７に進む。上記ステップＳ２３でソース機器１２０，１３０が２系統伝送可能でない場合も、ステップＳ２７に進む。上記ステップＳ２４でシンク機器１４０，１５０が２系統受信可能でない場合も、ステップＳ２７に進む。
【００８６】
ステップＳ２７では、マスタ機器１１０は、ソース機器１２０，１３０の１系統帯域確保処理を行う。
【００８７】
ステップＳ２８では、マスタ機器１１０は、シンク機器１４０，１５０の１系統帯域接続処理を行ってステップＳ２９に進む。
【００８８】
ステップＳ２９では、マスタ機器１１０は、各機器により確保されている帯域の状態を管理する帯域管理テーブル３００（図８参照）を更新する。
【００８９】
ステップＳ３０では、マスタ機器１１０は、対象のソース機器１２０，１３０に対して伝送を開始する許可を出す。対象のソース機器１２０，１３０は、伝送を開始して本フローを終了する。
【００９０】
図８は、帯域管理テーブル３００の一例を示す図である。
【００９１】
図８に示すように、帯域管理テーブル３００は、機器種別毎に、映像系統と音声系統を格納する。帯域管理テーブル３００は、図３のマスタ機器１１０の記憶部１１２に記憶される。
【００９２】
図８の場合、伝送路１００内の機器は、ソース機器１２０（ソース機器<１>）、シンク機器１４０（シンク機器<１>）、ソース機器１３０（ソース機器<２>）、及びシンク機器１５０（シンク機器<２>）である。これら機器種別毎に、映像系統１、映像系統２、音声系統１及び音声系統２の帯域接続先とコンテンツが保存される。
【００９３】
例えば、ＢＤであるソース機器１２０（ソース機器<１>）に関しては、映像系統１の帯域接続先がシンク機器１４０（シンク機器<１>）、そのコンテンツがコンテンツ１映像（Ａ）である。また、映像系統２の帯域接続先がシンク機器<１>、そのコンテンツがコンテンツ１映像（Ｂ）である。さらに、音声系統１の帯域接続先がシンク機器<１>、そのコンテンツがコンテンツ１音声（Ａ）である。また、音声系統２の帯域接続先がシンク機器<１>、そのコンテンツがコンテンツ１音声（Ｂ）である。
【００９４】
一方、ＢＤであるシンク機器１４０（シンク機器<１>）に関しては、映像系統１の帯域接続先がソース機器１２０（ソース機器<１>）、そのコンテンツがコンテンツ１映像（Ａ
）である。また、映像系統２の帯域接続先がソース機器<１>、そのコンテンツがコンテンツ１映像（Ｂ）である。さらに、音声系統１の帯域接続先がソース機器<１>、そのコンテンツがコンテンツ１音声（Ａ）である。また、音声系統２の帯域接続先がソース機器<１>、そのコンテンツがコンテンツ１音声（Ｂ）である。
【００９５】
これに対して、ＤＶＤなどからなるソース機器１３０（ソース機器<２>）に関しては、１系統帯域のみである。ここでは、このソース機器<２>は、映像系統１及び音声系統１の帯域接続先及びコンテンツは、帯域を確保していない。シンク機器１５０（シンク機器<２>）についても同様に、映像系統１及び音声系統１の帯域接続先及びコンテンツは、帯域を確保していない。
【００９６】
マスタ機器１１０は、図７の帯域確保処理を実行することにより、ソース・シンク機器機能管理テーブル２００（図４参照）を基に、ソース・シンク機器が確保する帯域を決定し、ソース−シンク機器間で伝送路１００を確保する。そして、マスタ機器１１０は、記憶部１１２（図３参照）に保存されている帯域管理テーブル３００（図８参照）を更新する。
【００９７】
〔帯域変更処理〕
図９は、帯域変更処理を示すフロー図である。本フローは、図５のステップＳ８の「帯域変更処理」の詳細フローである。
【００９８】
図９の帯域変更処理は、２系統の帯域が確保されている場合にのみ行われ、帯域確保処理（図７）時に１系統しか帯域が確保されていない場合は、本帯域変更処理は行われない。
【００９９】
ステップＳ３１では、マスタ機器１１０は、２系統帯域確保において伝送帯域不足か否かを判別する。２系統帯域確保において伝送帯域不足でない場合は、マスタ機器１１０は、本帯域変更処理を実行する必要がないと判断して本フローを終了する。
【０１００】
２系統帯域確保において伝送帯域不足の場合は、ステップＳ３２でマスタ機器１１０は、シンク機器１４０，１５０のコンテンツ使用方法を確認する。シンク機器１４０，１５０のコンテンツ使用方法確認の詳細については、図１０及び図１１により後述する。
【０１０１】
ステップＳ３３では、マスタ機器１１０は、不足帯域を判定する。すなわち、マスタ機器１１０は、不足帯域が「映像のみ不足」、「映像・音声両方不足」、「音声のみ不足」であるかを判定する。「映像のみ不足」又は「映像・音声両方不足」の場合は、ステップＳ３４に進み、「音声のみ不足」の場合はステップＳ３９に進む。
【０１０２】
ステップＳ３４では、マスタ機器１１０は、映像伝送状態を判定する。映像伝送状態判定には、「映像（ミックス）」又は「映像複数」、「映像（Ａ）」、「映像（Ｂ）」がある。ＢＤは、ＨＤサイズ（１９２０×１０８０）の映像を同時に２つ表示することができ、ＰｉｎＰ機能を使用すれば１つの映像再生中に別の映像を画面内に出力することができる。上記映像（ミックス）又は「映像複数」は、このＰｉｎＰ機能を使用した映像をいう。
【０１０３】
「映像（ミックス）」又は「映像複数」と判定された場合、ステップＳ３５で、マスタ機器１１０は、映像（ミックス）伝送１系統に帯域を変更してステップＳ３８に進む。
【０１０４】
「映像（Ａ）」と判定された場合、ステップＳ３６で、マスタ機器１１０は、映像（Ａ）伝送１系統に帯域を変更してステップＳ３８に進む。
【０１０５】
「映像（Ｂ）」と判定された場合、ステップＳ３７で、マスタ機器１１０は、映像（Ｂ）伝送１系統に帯域を変更してステップＳ３８に進む。
【０１０６】
ステップＳ３８では、マスタ機器１１０は、伝送帯域不足が映像・音声両方か否かを判別する。
【０１０７】
映像・音声両方不足の場合は、ステップＳ３９に進み、映像・音声両方不足でない場合は、ステップＳ４３に進む。
【０１０８】
上記ステップＳ３９には、映像・音声両方不足の場合のほか、上記ステップＳ３３で不足帯域が「音声のみ不足」の場合にも移行する。
【０１０９】
ステップＳ３９では、マスタ機器１１０は、音声伝送状態を判定する。音声伝送状態判定には、「音声（ミックス）」又は「音声複数」、「音声（Ａ）」、「音声（Ｂ）」がある。
【０１１０】
「音声（ミックス）」又は「音声複数」と判定された場合、ステップＳ４０で、マスタ機器１１０は、音声（ミックス）伝送１系統に帯域を変更してステップＳ４３に進む。
【０１１１】
「音声（Ａ）」と判定された場合、ステップＳ４１で、マスタ機器１１０は、音声（Ａ）伝送１系統に帯域を変更してステップＳ４３に進む。
【０１１２】
「音声（Ｂ）」と判定された場合、ステップＳ４２で、マスタ機器１１０は、音声（Ｂ）伝送１系統に帯域を変更してステップＳ４３に進む。
【０１１３】
ステップＳ４３では、マスタ機器１１０は、帯域管理テーブル３００（図８参照）を更新して本フローを終了する。
【０１１４】
図１０は、図９のステップＳ３２の「コンテンツ使用方法」を説明する制御シーケンス図である。
【０１１５】
図１０に示すように、マスタ機器１１０は、伝送路１００内のシンク機器１４０，１５０にコンテンツ使用要求を発行する（Ｓ５１参照）。コンテンツ使用要求は、マスタ機器１１０がシンク機器１４０，１５０に対して、現在のＢＤコンテンツが２系統のうちのどちらか、又は２系統を両方使用しているかを確認する。
【０１１６】
コンテンツ使用要求を受信したシンク機器１４０，１５０は、マスタ機器１１０にコンテンツ使用応答を送信する（Ｓ５２参照）。コンテンツ使用応答は、シンク機器１４０，１５０がＢＤコンテンツが２系統のうちのどちらか、又は２系統を両方使用していることを応答する。
【０１１７】
マスタ機器１１０は、シンク機器１４０，１５０からのコンテンツ使用応答を基に、マスタ機器１１０の記憶部１１２（図３参照）に保持されているコンテンツ使用管理テーブル４００（図１１参照）を更新する（Ｓ５３参照）。
【０１１８】
図１１は、コンテンツ使用管理テーブル４００の一例を示す図である。
【０１１９】
図１１に示すように、コンテンツ使用管理テーブル４００は、シンク機器毎に、映像コンテンツと音声コンテンツを格納する。コンテンツ使用管理テーブル４００は、図３のマ
スタ機器１１０の記憶部１１２に記憶される。
【０１２０】
図１１の場合、シンク機器１４０（シンク機器<１>）は、映像コンテンツを「映像ＡＢ（ミックス）」で使用し、音声コンテンツを「音声ＡＢ（ミックス）」及び「音声Ａ」（単体）で使用している。また、シンク機器１５０（シンク機器<２>）は、２系統の映像・音声コンテンツ使用の対象となっていない。
【０１２１】
マスタ機器１１０は、図９の帯域変更処理を実行する。その帯域変更処理において、図１０の制御シーケンスによりコンテンツ使用方法を確認し、図１１のコンテンツ使用管理テーブル４００を更新する。
【０１２２】
マスタ機器１１０は、他機器伝送開始時、伝送路帯域が不足する場合は、シンク機器１４０，１５０に対して、受信コンテンツの使用方法を確認する（図１０参照）。そして、マスタ機器１１０は、受信コンテンツの使用方法の確認を行った結果を、図３のマスタ機器１１０の記憶部１１２のコンテンツ使用管理テーブル４００に保持する。マスタ機器１１０は、コンテンツ使用管理テーブル４００を基に、確保している伝送帯域の変更を行う。
【０１２３】
マスタ機器１１０は、確保した帯域を変更する際、伝送路１００の状態とシンク機器１４０，１５０のコンテンツ使用状況を確認し、帯域の制御を行う。例えば、マスタ機器１１０は、コンテンツ使用方法を判定し、コンテンツ使用方法が１系統であればその１系統の使用方法を続け、２つ以上のコンテンツ使用方法であれば、伝送方法をミックス伝送にし、帯域を１系統にする。すなわち、マスタ機器１１０は、２つ以上のコンテンツ使用方法の状況で、帯域を１系統に変更する場合は、ミックス伝送にする制御を行う。マスタ機器１１０は、使わない２系統のうちの１系統を切断し、そして、残している１系統をミックス伝送とする。
【０１２４】
ミックス伝送にする理由は以下の通りである。２つ以上のコンテンツ使用方法を１系統に変更せざるを得ない場合であってもユーザになるべく違和感を与えないようにすることが好ましい。また、ＢＤは、ＰｉｎＰのように映像・音声を複数同時出力するミックス出力が可能である。そこで、本実施の形態では、このようなＢＤのミックス出力を活かし、帯域を１系統に変更せざるを得ない場合には、ユーザが使用中の映像・音声を、ミックス出力として残す。ユーザから見ると、使用中コンテンツが突然切れることなく、ミックス出力に切替わって継続されることになる。
【０１２５】
図１２は、映像・音声２系統出力中に、映像・音声とも１系統へ帯域変更した場合の帯域管理テーブル３００の一例を示す図である。図８の場合と同様に、伝送路１００内の機器は、ソース機器１２０（ソース機器<１>）、シンク機器１４０（シンク機器<１>）、ソース機器１３０（ソース機器<２>）、及びシンク機器１５０（シンク機器<２>）である。これら機器種別毎に、映像系統１、映像系統２、音声系統１及び音声系統２の帯域接続先とコンテンツが保存される。
【０１２６】
上述したように、マスタ機器１１０は、２つ以上のコンテンツ使用方法であれば、伝送方法をミックス伝送にし、帯域を１系統にする。例えば、マスタ機器１１０は、図１１のコンテンツ使用管理テーブル４００に従って、映像・音声２系統出力から映像・音声とも１系統への帯域変更を行う。
【０１２７】
以下、図１１のコンテンツ使用管理テーブル４００を用いて、図８の帯域管理テーブル３００から図１２の帯域管理テーブル３００への更新について具体的に説明する。
【０１２８】
ソース機器<１>，シンク機器<１>間で確保している帯域について、映像・音声両方不足した場合を例として説明する。図１１のコンテンツ使用管理テーブル４００をマスタ機器１１０が確認すると、シンク機器<１>は、映像コンテンツとして、「ＡＢミックス」の状態で使用し、音声コンテンツは、「ＡＢミックス」と「単体Ａ」の２種類同時に使用している。
【０１２９】
映像については、「ＡＢミックス」のみであるため、ソース機器は、映像系統１の「単体Ａ」を「ＡＢミックス」伝送に使用し、他方の映像系統２の帯域を解放する。シンク機器は、映像系統２を切断し、映像系統１は帯域の切断を行わず、ソース機器からの「ＡＢミックス」を受信する。これにより、帯域管理テーブル３００の映像系統は、映像系統１のみ残り（「ＡＢコンテンツ」として）、映像系統２は帯域を確保していない状態となっている。
【０１３０】
音声については、「ＡＢミックス」と「単体Ａ」の２種類同時に使用しているため、ソース機器は、音声系統１の「単体Ａ」を「ＡＢミックス」伝送に使用し、他方の音声系統２の帯域を解放する。シンク機器は、音声系統２を切断し、音声系統１は帯域の切断を行わず、ソース機器からの「ＡＢミックス」を受信する。これにより、帯域管理テーブル３００の音声系統は、音声系統１のみ残り（「ＡＢコンテンツ」として）、音声系統２は帯域を確保していない状態となっている。
【０１３１】
上記は、図９のフローのステップＳ３５，ステップＳ３６，ステップＳ３７，ステップＳ４０，ステップＳ４１，ステップＳ４２の処理で実行される。これらのステップで、帯域の解放・切断処理が行われる。よって、帯域管理テーブル３００を更新するステップＳ４３に達するまでに帯域は１系統へと変更されている。
【０１３２】
〔帯域解放処理〕
図１３は、帯域解放処理を示すフロー図である。本フローは、図５のステップＳ６の「帯域解放処理」の詳細フローである。
【０１３３】
ステップＳ６１では、マスタ機器１１０は、ソース・シンク機器を全て解放か否かを判別する。ソース・シンク機器を全て解放の場合は、ステップＳ６２に進み、全て解放しない場合は、ステップＳ６４に進む。ここでいう全て解放は、伝送路上に接続したソース機器・シンク機器全ての帯域を解放・切断を行うことではなく、各ソース機器、シンク機器で確保・接続した帯域についての処理という前提のシーケンスである。例えば、ソース機器<１>とシンク機器<１>間の処理である。
【０１３４】
ステップＳ６２では、マスタ機器１１０は、シンク機器１４０，１５０の全帯域切断処理を行い、ステップＳ６３でソース機器１２０，１３０の全帯域解放処理を行ってステップＳ７０に進む。上記全帯域解放処理は、ソース機器１２０，１３０のいずれかに接続しているシンク機器１４０，１５０のいずれかの機器の全帯域の解放・切断を行う。
【０１３５】
ステップＳ６４では、マスタ機器１１０は、映像１系統帯域解放か否かを判別し、映像１系統帯域解放の場合はステップＳ６５に進み、映像１系統帯域解放でない場合はステップＳ６７に進む。
【０１３６】
ステップＳ６５では、マスタ機器１１０は、シンク機器１４０，１５０の映像１系統帯域切断処理を行い、ステップＳ６６でソース機器１２０，１３０の映像１系統帯域解放処理を行ってステップＳ６７に進む。上記映像１系統帯域切断処理は、ソース機器１２０，１３０のいずれかに接続しているシンク機器１４０，１５０のいずれかの機器の１系統の帯域の解放・切断を行う。
【０１３７】
ステップＳ６７では、マスタ機器１１０は、音声１系統帯域解放か否かを判別し、音声１系統帯域解放の場合はステップＳ６８に進み、音声１系統帯域解放でない場合はステップＳ７０に進む。
【０１３８】
ステップＳ６８では、マスタ機器１１０は、シンク機器１４０，１５０の音声１系統帯域切断処理を行い、ステップＳ６９でソース機器１２０，１３０の音声１系統帯域解放処理を行ってステップＳ７０に進む。上記音声１系統帯域切断処理は、ソース機器１２０，１３０のいずれかに接続しているシンク機器１４０，１５０のいずれかの機器の１系統の帯域の解放・切断を行う。
【０１３９】
ステップＳ７０では、マスタ機器１１０は、帯域管理テーブル３００（図８及び図１２参照）を更新して本フローを終了する。
【０１４０】
以上詳細に説明したように、本実施の形態によれば、マスタ機器１１０は、複数の映像及び音声の伝送時、ソース・シンク機器機能管理テーブル２００及び帯域管理テーブル３００を参照して、ソース・シンク機器に対して、映像及び音声の帯域を制御する。また、マスタ機器１１０は、確保した帯域を変更する際、伝送路１００の状態とシンク機器１４０，１５０のコンテンツ使用状況を確認し、帯域の制御を行う。例えば、マスタ機器１１０は、２系統の映像及び音声を１系統で出力する場合、２系統の映像及び音声を合成した１系統の帯域に変更する。これにより、マスタ機器１１０は、ＢＤなど複数の映像・音声の同時出力可能なマルチメディア機器の管理を行うことができる。制限された周波数帯域の伝送路に接続されるマルチメディア機器の映像・音声を、ユーザ使用に最適化して提供することができる。車載環境で用いられるマルチメディア機器制御システムに適用して好適である。
【０１４１】
以上の説明は本発明の好適な実施の形態の例証であり、本発明の範囲はこれに限定されることはない。
【０１４２】
例えば、ソース機器１２０，１３０とシンク機器１４０，１５０とマスタ機器１１０とが別々に存在しているが、マスタ機器１１０は、ソース機器１２０，１３０もしくはシンク機器１４０，１５０の一部として、同装置内に配置してもよい。
【０１４３】
また、本実施の形態では、映像・音声それぞれが２系統の例を示したが、映像もしくは音声どちらかだけが２系統の場合もある。また、映像・音声が別である場合において、映像・音声を同じ帯域で確保し、それを２系統分、２帯域確保する態様でもよい。さらに、映像・音声はそれぞれが２系統の例を示したが、映像・音声とも、より多数の系統がある場合も同様に適用可能である。
【０１４４】
また、本実施の形態では、帯域変更処理（図９参照）で、シンク機器に対して、受信コンテンツの使用方法を確認（図１０参照）してから伝送帯域の変更を行っている。しかし、シンク機器の状態に関わらず、固定で伝送方法をミックス伝送にし、帯域を１系統にする方法も考えられる。
【０１４５】
また、本実施の形態では、帯域変更処理（図９参照）で、シンク機器に対して、受信コンテンツの使用方法を確認（図１０参照）してから伝送帯域の変更を行っている。しかし、このときに同時にシンク機器が、伝送帯域の変更方法をマスタ機器へ要望し、その要望に合わせて、帯域を１系統にする方法も考えられる。
【０１４６】
また、本実施の形態では、説明の便宜上、マルチメディア機器制御システムという名称
を用いたが、車載通信装置、伝送システム等の名称であってもよいことは勿論である。
【０１４７】
さらに、上記マルチメディア機器制御装置を構成する各回路部、例えば通信制御部、記憶部等の種類、数及び接続方法などは前述した実施の形態に限られない。
【０１４８】
また、以上説明したマルチメディア機器制御装置、ソース機器、シンク機器及び伝送システムは、このマルチメディア機器制御装置を機能させるためのプログラムでも実現される。このプログラムはコンピュータで読み取り可能な記録媒体に格納されている。
【０１４９】
２００８年１０月２４日出願の特願２００８−２７４８７６の日本出願に含まれる明細書、図面及び要約書の開示内容は、すべて本願に援用される。
【産業上の利用可能性】
【０１５０】
本発明に係るマルチメディア機器制御装置、ソース機器、シンク機器及び伝送システムは、車載環境における伝送路の帯域を管理してマルチメディア機器を制御するマルチメディア機器制御装置に有用である。また、車載環境に限らず、制限された周波数帯域の伝送路に接続されるマルチメディア機器を制御するマスタ機器であればどのような装置も適用できる。
【符号の説明】
【０１５１】
１００  伝送路
１１０  マスタ機器
１１１  処理部
１１２  記憶部
１１３  通信制御部
１２０，１３０  ソース機器
１２１，１３１，１４１，１５１  処理部
１２２，１３２  データ出力部
１２３，１３３，１４３，１５３  通信制御部
１４０，１５０  シンク機器
１４２，１５２  データ入力部
２００  ソース・シンク機器機能管理テーブル
３００  帯域管理テーブル
４００  コンテンツ使用管理テーブル
【手続補正２】
【補正対象書類名】特許請求の範囲
【補正対象項目名】全文
【補正方法】変更
【補正の内容】
【特許請求の範囲】
【請求項１】
伝送路と、前記伝送路に接続され、複数の映像及び音声の同時出力が可能なマルチメディア機器とを備え、前記伝送路の帯域を管理して前記マルチメディア機器を制御するマルチメディア機器制御装置であって、
前記マルチメディア機器の機能を管理する機能管理テーブルと、
前記マルチメディア機器により確保されている帯域の状態を管理する帯域管理テーブルと、
複数の映像及び音声の伝送時、前記機能管理テーブル及び前記帯域管理テーブルを参照して、前記マルチメディア機器に対して、映像及び音声の帯域を制御する帯域制御手段と
を備えるマルチメディア機器制御装置。
【請求項２】
前記マルチメディア機器のコンテンツ使用状況を管理するコンテンツ使用管理テーブルを備え、
前記帯域制御手段は、前記コンテンツ使用状況に基づいて前記マルチメディア機器の映像及び音声の帯域を制御する請求項１記載のマルチメディア機器制御装置。
【請求項３】
前記マルチメディア機器は、２系統の映像及び音声を同時に出力する請求項１記載のマルチメディア機器制御装置。
【請求項４】
前記帯域制御手段は、２系統の映像及び音声を１系統で伝送する場合、２系統の映像及び音声を合成した１系統の帯域に変更する請求項３記載のマルチメディア機器制御装置。
【請求項５】
伝送路を介してマルチメディア機器制御装置に接続され、複数の映像及び音声の同時出力が可能なソース機器であって、
前記マルチメディア機器制御装置からの機器制御信号を受信し、前記制御信号により指示された帯域を用いて送信するソース機器。
【請求項６】
前記マルチメディア機器制御装置は、
前記伝送路に接続された機器の機能を管理する機能管理テーブルと、
前記伝送路に接続された機器により確保されている帯域の状態を管理する帯域管理テーブルと、
複数の映像及び音声の伝送時、前記機能管理テーブル及び前記帯域管理テーブルを参照して、前記ソース機器に対して、映像及び音声の帯域を制御する機器制御信号を出力する帯域制御手段と
を備える請求項５記載のソース機器。
【請求項７】
伝送路を介してマルチメディア機器制御装置に接続され、複数の映像及び音声の同時出力が可能なシンク機器であって、
前記マルチメディア機器制御装置からの機器制御信号を受信し、前記制御信号により指示された帯域を用いて受信するシンク機器。
【請求項８】
前記マルチメディア機器制御装置は、
前記伝送路に接続された機器の機能を管理する機能管理テーブルと、
前記伝送路に接続された機器により確保されている帯域の状態を管理する帯域管理テーブルと、
複数の映像及び音声の伝送時、前記機能管理テーブル及び前記帯域管理テーブルを参照して、前記シンク機器に対して、映像及び音声の帯域を制御する機器制御信号を出力する帯域制御手段と
を備える請求項７記載のシンク機器。
【請求項９】
伝送路と、前記伝送路に接続され、複数の映像及び音声の同時出力が可能なマルチメディア機器と、前記伝送路の帯域を管理して前記マルチメディア機器を制御するマルチメディア機器制御装置とから構成される伝送システムであって、
前記マルチメディア機器制御装置は、
前記マルチメディア機器の機能を管理する機能管理テーブルと、
前記マルチメディア機器により確保されている帯域の状態を管理する帯域管理テーブルと、
複数の映像及び音声の伝送時、前記機能管理テーブル及び前記帯域管理テーブルを参照して、前記マルチメディア機器に対して、映像及び音声の帯域を制御する帯域制御手段と
を備える伝送システム。
【手続補正３】
【補正対象書類名】図面
【補正対象項目名】全図
【補正方法】変更
【補正の内容】
【図１】
2010047124.tif 000016
【図２】
2010047124.tif 000017
【図３】
2010047124.tif 000018
【図４】
2010047124.tif 000019
【図５】
2010047124.tif 000020
【図６】
2010047124.tif 000021
【図７】
2010047124.tif 000022
【図８】
2010047124.tif 000023
【図９】
2010047124.tif 000024
【図１０】
2010047124.tif 000025
【図１１】
2010047124.tif 000026
【図１２】
2010047124.tif 000027
【図１３】
2010047124.tif 000028
【国際調査報告】
2010047124.tif 000029
2010047124.tif 000030
2010047124.tif 000031
2010047124.tif 000032